(57)【要約】      （修正有）【課題】ＬＴＥ通信システムにより様々なネットワークアーキテクチャ及び様々なタイプのＵＥが高効率且つ柔軟にサポートされる、情報送信及び受信方法及びデバイスを提供する。【解決手段】基地局によって、第１の情報をユーザ機器ＵＥに送信するために使用されるダウンリンクサブフレームを決定するステップと、基地局によって、第１の情報をＵＥに対して、ダウンリンクサブフレームを用いることによって送信するステップと、を含んでいる。ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである。【選択図】図１
2018125854.tif 000002
【特許請求の範囲】
【請求項１】
基地局によってレートマッチング情報を決定すると共に、前記レートマッチング情報をユーザ機器ＵＥに送信するステップであって、前記レートマッチング情報が、ダウンリンクサブフレーム内にあり且つ前記ＵＥが第２の情報を前記ダウンリンクサブフレームを用いることによって受信したときに前記ＵＥによって検出することを要しないような第１の時間−周波数リソースを指摘するために使用される、決定すると共に送信するステップと、
前記基地局によって、少なくとも２つのサブフレームを備える前記ダウンリンクサブフレームを前記レートマッチング情報に従って決定すると共に、前記ダウンリンクサブフレームを前記ユーザ機器に送信するステップと、
を含む情報送信方法。
【請求項２】
前記第１の時間−周波数リソースが、少なくとも１つのサブフレーム内に備えられたすべての時間−周波数リソースを備えている、又は
前記第１の時間−周波数リソースが、物理リソースブロック、サブ物理リソースブロック、物理リソースブロック対及びサブ物理リソースブロック対のうちの少なくとも１つを備えている、又は
前記第１の時間−周波数リソースが、リソースエレメント、リソースエレメントグループ及び制御チャンネルエレメントのうちの少なくとも１つを備えている、又は
前記第１の時間−周波数リソースが、参照信号のリソースパターンを備えている、請求項１に記載の方法。
【請求項３】
前記サブ物理リソースブロック対によって占有される時間ドメインの長さが１つのサブフレームによって占有される時間ドメインの長さより短く、且つ前記サブ物理リソースブロック対がＮ１個の第１のサブキャリア及びＭ１個の第１の直交周波数分割多重ＯＦＤＭシンボルを備え、周波数ドメイン内における隣接する２つの第１のサブキャリア同士の間隔が設定された値より大きく、且つＮ１とＭ１の両方が正の整数である、請求項２に記載の方法。
【請求項４】
前記物理リソースブロック対によって占有される時間ドメインの長さが１つのサブフレームによって占有される時間ドメインの長さに等しく、且つ前記物理リソースブロック対がＮ２個の第２のサブキャリア及びＭ２個の第２のＯＦＤＭシンボルを備え、前記周波数ドメイン内における隣接する２つの第２のサブキャリア同士の間隔が前記設定された値に等しく、且つＮ２とＭ２の両方が正の整数である、請求項３に記載の方法。
【請求項５】
Ｎ１がＮ２に等しく、且つＭ１がＭ２に等しい、請求項４に記載の方法。
【請求項６】
前記物理リソースブロック対が第１の周波数帯域を占有し、且つ前記サブ物理リソースブロック対が第２の周波数帯域を占有し、前記第１の周波数帯域と前記第２の周波数帯域は重複しない、請求項４又は５に記載の方法。
【請求項７】
基地局によって前記レートマッチング情報をユーザ機器ＵＥに送信する前記ステップが、
前記基地局によって、前記レートマッチング情報を前記ＵＥに対して、レイヤ１信号伝達又はレイヤ２信号伝達を用いることによって送信するステップを含む、請求項１から６のいずれか一項に記載の方法。
【請求項８】
前記第１の時間−周波数リソースに対応するダウンリンクサブフレームがページングサブフレーム又は同期信号送信サブフレームである、請求項１から７のいずれか一項に記載の方法。
【請求項９】
前記基地局によって前記ＵＥに構成メッセージを送信するステップであって、前記構成メッセージがアップリンクスケジュール設定情報、アップリンクパワー制御情報及び周期的アップリンク信号構成情報のうちの少なくとも１つを備えると共に、前記構成メッセージが、アップリンクサブフレームにおいてアップリンク信号を前記構成メッセージに従って送信するように前記ＵＥに対して指令するために使用され、前記アップリンクサブフレームが前記第１の時間−周波数リソースを配置させた前記ダウンリンクサブフレームに対応するアップリンクサブフレームである、送信するステップをさらに含む請求項１から８のいずれか一項に記載の方法。
【請求項１０】
ユーザ機器ＵＥによって、基地局によって送信されたレートマッチング情報を受信するステップであって、前記レートマッチング情報が、ダウンリンクサブフレーム内にあり且つ前記ＵＥが第２の情報を前記ダウンリンクサブフレームを用いることによって受信したときに前記ＵＥによって検出することを要しないような第１の時間−周波数リソースを指摘するために使用される、受信するステップと、
前記ＵＥによって前記レートマッチング情報に従って、少なくとも２つのサブフレームを備える前記ダウンリンクサブフレームで伝達される前記第２の情報を受信するステップと、
を含む情報受信方法。
【請求項１１】
前記第１の時間−周波数リソースが、少なくとも１つのサブフレーム内に備えられたすべての時間−周波数リソースを備えている、又は
前記第１の時間−周波数リソースが、物理リソースブロック、サブ物理リソースブロック、物理リソースブロック対及びサブ物理リソースブロック対のうちの少なくとも１つを備えている、又は
前記第１の時間−周波数リソースが、リソースエレメント、リソースエレメントグループ及び制御チャンネルエレメントのうちの少なくとも１つを備えている、又は
前記第１の時間−周波数リソースが、参照信号のリソースパターンを備えている、請求項１０に記載の方法。
【請求項１２】
前記サブ物理リソースブロック対によって占有される時間ドメインの長さが１つのサブフレームによって占有される時間ドメインの長さより短く、且つ前記サブ物理リソースブロック対がＮ１個の第１のサブキャリア及びＭ１個の第１の直交周波数分割多重ＯＦＤＭシンボルを備え、周波数ドメイン内における隣接する２つの第１のサブキャリア同士の間隔が設定された値より大きく、且つＮ１とＭ１の両方が正の整数である、請求項１１に記載の方法。
【請求項１３】
前記物理リソースブロック対によって占有される時間ドメインの長さが１つのサブフレームによって占有される時間ドメインの長さに等しく、且つ前記物理リソースブロック対がＮ２個の第２のサブキャリア及びＭ２個の第２のＯＦＤＭシンボルを備え、前記周波数ドメイン内における隣接する２つの第２のサブキャリア同士の間隔が前記設定された値に等しく、且つＮ２とＭ２の両方が正の整数である、請求項１２に記載の方法。
【請求項１４】
Ｎ１がＮ２に等しく、且つＭ１がＭ２に等しい、請求項１３に記載の方法。
【請求項１５】
前記物理リソースブロック対が第１の周波数帯域を占有し、且つ前記サブ物理リソースブロック対が第２の周波数帯域を占有し、前記第１の周波数帯域と前記第２の周波数帯域は重複しない、請求項１３又は１４に記載の方法。
【請求項１６】
ユーザ機器ＵＥによって、基地局によって送信されたレートマッチング情報を受信する前記ステップが、
前記ＵＥによってレイヤ１信号伝達又はレイヤ２信号伝達を用いることによって、前記基地局によって送信された前記レートマッチング情報を受信するステップを含む、請求項１０から１５のいずれか一項に記載の方法。
【請求項１７】
前記第１の時間−周波数リソースに対応するダウンリンクサブフレームがページングサブフレーム又は同期信号送信サブフレームである、請求項１０から１６のいずれか一項に記載の方法。
【請求項１８】
前記ＵＥによって、前記基地局によって送信された構成メッセージを受信するステップであって、前記構成メッセージがアップリンクスケジュール設定情報、アップリンクパワー制御情報及び周期的アップリンク信号構成情報のうちの少なくとも１つを備える、受信するステップと、
前記ＵＥによって、アップリンクサブフレームにおいてアップリンク信号を前記構成メッセージに従って送信するステップであって、前記アップリンクサブフレームが前記第１の時間−周波数リソースを配置させた前記ダウンリンクサブフレームに対応するアップリンクサブフレームである、送信するステップと、
をさらに含む請求項１０から１７のいずれか一項に記載の方法。
【請求項１９】
レートマッチング情報を決定すると共に、前記レートマッチング情報をユーザ機器ＵＥに送信するように構成された情報決定モジュールであって、前記レートマッチング情報が、ダウンリンクサブフレーム内にあり且つ前記ＵＥが第２の情報を前記ダウンリンクサブフレームを用いることによって受信したときに前記ＵＥによって検出することを要しないような第１の時間−周波数リソースを指摘するために使用される、情報決定モジュールと、
前記レートマッチング情報に従って前記ダウンリンクサブフレームを決定すると共に、前記ダウンリンクサブフレームを前記ユーザ機器に送信するように構成された第１の送信モジュールであって、前記ダウンリンクサブフレームが少なくとも２つのサブフレームを備える、第１の送信モジュールと、
を備える基地局。
【請求項２０】
前記第１の時間−周波数リソースが、少なくとも１つのサブフレーム内に備えられたすべての時間−周波数リソースを備えている、又は
前記第１の時間−周波数リソースが、物理リソースブロック、サブ物理リソースブロック、物理リソースブロック対及びサブ物理リソースブロック対のうちの少なくとも１つを備えている、又は
前記第１の時間−周波数リソースが、リソースエレメント、リソースエレメントグループ及び制御チャンネルエレメントのうちの少なくとも１つを備えている、又は
前記第１の時間−周波数リソースが、参照信号のリソースパターンを備えている、請求項１９に記載の基地局。
【請求項２１】
前記サブ物理リソースブロック対によって占有される時間ドメインの長さが１つのサブフレームによって占有される時間ドメインの長さより短く、且つ前記サブ物理リソースブロック対がＮ１個の第１のサブキャリア及びＭ１個の第１の直交周波数分割多重ＯＦＤＭシンボルを備え、周波数ドメイン内における隣接する２つの第１のサブキャリア同士の間隔が設定された値より大きく、且つＮ１とＭ１の両方が正の整数である、請求項２０に記載の基地局。
【請求項２２】
前記物理リソースブロック対によって占有される時間ドメインの長さが１つのサブフレームによって占有される時間ドメインの長さに等しく、且つ前記物理リソースブロック対がＮ２個の第２のサブキャリア及びＭ２個の第２のＯＦＤＭシンボルを備え、前記周波数ドメイン内における隣接する２つの第２のサブキャリア同士の間隔が前記設定された値に等しく、且つＮ２とＭ２の両方が正の整数である、請求項２１に記載の基地局。
【請求項２３】
Ｎ１がＮ２に等しく、且つＭ１がＭ２に等しい、請求項２２に記載の基地局。
【請求項２４】
前記物理リソースブロック対が第１の周波数帯域を占有し、且つ前記サブ物理リソースブロック対が第２の周波数帯域を占有し、前記第１の周波数帯域と前記第２の周波数帯域は重複しない、請求項２２又は２３に記載の基地局。
【請求項２５】
前記第１の送信モジュールが、
前記レートマッチング情報を前記ＵＥに対して、レイヤ１信号伝達又はレイヤ２信号伝達を用いることによって送信するように具体的に構成される、請求項１９から２４のいずれか一項に記載の基地局。
【請求項２６】
前記第１の時間−周波数リソースに対応するダウンリンクサブフレームがページングサブフレーム又は同期信号送信サブフレームである、請求項１９から２５のいずれか一項に記載の基地局。
【請求項２７】
前記ＵＥに対して、アップリンクスケジュール設定情報、アップリンクパワー制御情報及び周期的アップリンク信号構成情報のうちの少なくとも１つを備えた構成メッセージを送信するように構成された構成モジュールをさらに備えると共に、前記構成メッセージがアップリンクサブフレームにおいてアップリンク信号を前記構成メッセージに従って送信するように前記ＵＥに指令するために使用され、前記アップリンクサブフレームが前記第１の時間−周波数リソースを配置させた前記ダウンリンクサブフレームに対応するアップリンクサブフレームである、請求項１９から２６のいずれか一項に記載の基地局。
【請求項２８】
ユーザ機器であって、
基地局によって送信されたレートマッチング情報を受信するように構成された第１の受信モジュールであって、前記レートマッチング情報が、ダウンリンクサブフレーム内にあり且つ前記ＵＥが第２の情報を前記ダウンリンクサブフレームを用いることによって受信したときに前記ＵＥによって検出することを要しないような第１の時間−周波数リソースを指摘するために使用されている、第１の受信モジュールと、
前記レートマッチング情報に従って、前記ダウンリンクサブフレームで伝達される前記第２の情報を受信するように構成された第２の受信モジュールであって、前記ダウンリンクサブフレームが少なくとも２つのサブフレームを備える、第２の受信モジュールと、
を備えるユーザ機器。
【請求項２９】
前記第１の時間−周波数リソースが、少なくとも１つのサブフレーム内に備えられたすべての時間−周波数リソースを備えている、又は
前記第１の時間−周波数リソースが、物理リソースブロック、サブ物理リソースブロック、物理リソースブロック対及びサブ物理リソースブロック対のうちの少なくとも１つを備えている、又は
前記第１の時間−周波数リソースが、リソースエレメント、リソースエレメントグループ及び制御チャンネルエレメントのうちの少なくとも１つを備えている、又は
前記第１の時間−周波数リソースが、参照信号のリソースパターンを備えている、請求項２８に記載のユーザ機器。
【請求項３０】
前記サブ物理リソースブロック対によって占有される時間ドメインの長さが１つのサブフレームによって占有される時間ドメインの長さより短く、且つ前記サブ物理リソースブロック対がＮ１個の第１のサブキャリア及びＭ１個の第１の直交周波数分割多重ＯＦＤＭシンボルを備え、周波数ドメイン内における隣接する２つの第１のサブキャリア同士の間隔が設定された値より大きく、且つＮ１とＭ１の両方が正の整数である、請求項２９に記載のユーザ機器。
【請求項３１】
前記物理リソースブロック対によって占有される時間ドメインの長さが１つのサブフレームによって占有される時間ドメインの長さに等しく、且つ前記物理リソースブロック対がＮ２個の第２のサブキャリア及びＭ２個の第２のＯＦＤＭシンボルを備え、前記周波数ドメイン内における隣接する２つの第２のサブキャリア同士の間隔が前記設定された値に等しく、且つＮ２とＭ２の両方が正の整数である、請求項３０に記載のユーザ機器。
【請求項３２】
Ｎ１がＮ２に等しく、且つＭ１がＭ２に等しい、請求項３１に記載のユーザ機器。
【請求項３３】
前記物理リソースブロック対が第１の周波数帯域を占有し、且つ前記サブ物理リソースブロック対が第２の周波数帯域を占有し、前記第１の周波数帯域と前記第２の周波数帯域は重複しない、請求項３１又は３２に記載のユーザ機器。
【請求項３４】
前記第１の受信モジュールが、
レイヤ１信号伝達又はレイヤ２信号伝達を用いることによって、前記基地局によって送信された前記レートマッチング情報を受信するように具体的に構成される、請求項２８から３３のいずれか一項に記載のユーザ機器。
【請求項３５】
前記第１の時間−周波数リソースに対応するダウンリンクサブフレームがページングサブフレーム又は同期信号送信サブフレームである、請求項２８から３４のいずれか一項に記載のユーザ機器。
【請求項３６】
基地局によって送信された構成メッセージを受信するように構成された第３の受信モジュールであって、前記構成メッセージがアップリンクスケジュール設定情報、アップリンクパワー制御情報及び周期的アップリンク信号構成情報のうちの少なくとも１つを備えている、第３の受信モジュールと、
前記構成メッセージに従って、アップリンクサブフレームにおいてアップリンク信号を送信するように構成された送信モジュールであって、前記アップリンクサブフレームが前記第１の時間−周波数リソースを配置させた前記ダウンリンクサブフレームに対応するアップリンクサブフレームである、送信モジュールと、
をさらに備える請求項２８から３５のいずれか一項に記載のユーザ機器。
【発明の詳細な説明】
【技術分野】
【０００１】
本発明の実施形態は、通信技術に関し、特に、情報送信及び受信方法並びにデバイスに関する。
【背景技術】
【０００２】
目下のところ、基地局又はユーザ機器（Ｕｓｅｒ  Ｅｑｕｉｐｍｅｎｔ，略してＵＥ）に適用されるロングタームエボリューション（Ｌｏｎｇ  Ｔｅｒｍ  Ｅｖｏｌｕｔｉｏｎ，略してＬＴＥ）通信システムのリリースには、リリース８、リリース９、リリース１０、リリース１１、リリース１２、その他が含まれる。
【０００３】
異なるリリースのＬＴＥ通信システムは、例えば均一なセルが存在するようなシナリオに関して主に配備が行われる（すなわち、マクロセルに主に関連するシナリオに関して配備が行われる）ようなリリース８又は９のＬＴＥ通信システムなどの目下のＬＴＥ通信システムにおける異なるネットワークアーキテクチャに対応している。大量の異種ネットワークがリリース１０のＬＴＥ通信システムから始まるＬＴＥ通信システムでの配備のために使用されている（すなわち、マクロセルとマイクロセルを組み合わせることによって配備が行われている）。ＬＴＥ通信システムの配備に伴って、チャンネル伝搬条件が益々劣化し、高周波数帯域またさらには超高周波数帯域（３．５Ｇヘルツまたさらには１０から数１０Ｇヘルツなど）の大量の周波数スペクトルが使用されることになる。このようなチャンネル伝搬条件の下では、ドップラースプレッドの拡大のために、信号損失が大きく且つサブキャリア間の干渉が増大する。
【０００４】
ＵＥに関してＵＥは、１つ又は複数のＬＴＥシステムをサポートすることが可能であり、また様々な通信用途シナリオの要件を満足させるためにＵＥは、ＵＥの具体的な機能に従ってＵＥのタイプ（例えば、共通のデータサービス又は音声サービスを処理するために使用されるＵＥ、少量のデータを処理するために使用されるマシン型のＵＥ、遅延に敏感なサービスを処理するために使用されるＵＥ、及びブロードキャストサービスを受信するために使用されるＵＥ）にさらに分類されることがある。
【０００５】
しかし、従来技術における様々なリリースのＬＴＥ通信システムは、複数タイプのネットワークアーキテクチャを高効率且つ柔軟にサポートすることが不可能であり、様々なチャンネル伝搬条件を高効率且つ柔軟にサポートすることが不可能であり、また複数タイプのＵＥをサポートすることが不可能である。
【発明の概要】
【０００６】
本発明の実施形態は、情報送信及び受信方法及びデバイスを提供し、これによりＬＴＥ通信システムが様々なネットワークアーキテクチャや様々なタイプのＵＥを高効率且つ柔軟にサポートするようにする。
【０００７】
第１の態様によれば本発明の一実施形態は、
基地局によって、第１の情報をユーザ機器ＵＥに送信するために使用されるダウンリンクサブフレームを決定するステップと、
基地局によって、第１の情報をＵＥに対して、ダウンリンクサブフレームを用いることによって送信するステップと、を含む情報送信方法を提供し、ここで
当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームである。
【０００８】
第１の態様に関連した第１の態様の第１の可能な実装方式では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０００９】
第１の態様の第１の可能な実装方式に関連した第１の態様の第２の可能な実装方式では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００１０】
第１の態様の第２の可能な実装方式に関連した第１の態様の第３の可能な実装方式では、Ｎ１がＮ２に等しく、且つＭ１がＭ２に等しい。
【００１１】
第１の態様の第２又は第３の可能な実装方式に関連した第１の態様の第４の可能な実装方式では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【００１２】
第１の態様又は第１の態様の第１から第４の可能な実装方式のいずれか１つに関連した第１の態様の第５の可能な実装方式では、基地局によって、第１の情報をＵＥに対して、ダウンリンクサブフレームを用いることによって送信するステップの前に、本方法は、
基地局によってＵＥに対して、ダウンリンクサブフレームが第１のサブフレーム、第２のサブフレーム又は第３のサブフレームであることを指摘するために使用されるサブフレームタイプ指示を送信するステップをさらに含む。
【００１３】
第１の態様の第４又は第５の可能な実装方式に関連した第１の態様の第６の可能な実装方式では、ダウンリンクサブフレームが第３のサブフレームである場合に、基地局によって、第１の情報をＵＥに対して、ダウンリンクサブフレームを用いることによって送信するステップの前に、本方法は、
基地局によってＵＥに対して、少なくとも１つの物理リソースブロック対が第１の周波数帯域を占有し且つ少なくとも１つのサブ物理リソースブロック対が第２の周波数帯域を占有することを指摘するために使用される周波数帯域指示を送信するステップをさらに含む。
【００１４】
第１の態様の第６の可能な実装方式に関連した第１の態様の第７の可能な実装方式では、基地局によって、第１の情報をＵＥに対して、ダウンリンクサブフレームを用いることによって送信するステップが、
基地局によってＵＥに対して、第１の情報を伝達する第１の周波数帯域上の物理リソースブロック対を、第１の巡回プレフィックスＣＰ長さを用いることによって送信するステップ、又は
基地局によってＵＥに対して、第１の情報を伝達する第２の周波数帯域上のサブ物理リソースブロック対を、第２のＣＰ長さを用いることによって送信するステップ、を含んでおり、ここで
第１のＣＰ長さは第２のＣＰ長さと異なる。
【００１５】
第１の態様又は第１の態様の第１から第７の可能な実装方式のいずれか１つに関連した第１の態様の第８の可能な実装方式では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【００１６】
第１の態様の第８の可能な実装方式に関連した第１の態様の第９の可能な実装方式では、ダウンリンクデータチャンネルをスケジュール設定するための制御情報がダウンリンクデータチャンネルのリソース割当て指示を含むと共に、当該ダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又は当該ダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される、或いは
アップリンクデータチャンネルをスケジュール設定するための制御情報がアップリンクデータチャンネルのリソース割当て指示を含むと共に、当該アップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び当該サブ物理リソースブロック対の量を指摘するために使用される。
【００１７】
第１の態様の第９の可能な実装方式に関連した第１の態様の第１０の可能な実装方式では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【００１８】
第２の態様によれば本発明の一実施形態は、
ユーザ機器ＵＥによって、第１の情報を伝達し且つ基地局によって送信されるダウンリンクサブフレームを決定するステップと、
ＵＥによって第１の情報を、ダウンリンクサブフレームを用いることによって受信するステップと、を含む情報受信方法であって、
当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである、情報受信方法を提供する。
【００１９】
第２の態様に関連した第２の態様の第１の可能な実装方式では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００２０】
第２の態様の第１の可能な実装方式に関連した第２の態様の第２の可能な実装方式では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００２１】
第２の態様の第２の可能な実装方式に関連した第２の態様の第３の可能な実装方式では、Ｎ１がＮ２に等しく、且つＭ１がＭ２に等しい。
【００２２】
第２の態様の第２又は第３の可能な実装方式に関連した第２の態様の第４の可能な実装方式では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【００２３】
第２の態様又は第２の態様の第１から第４の可能な実装方式のいずれか１つに関連した第２の態様の第５の可能な実装方式では、ＵＥによって、第１の情報を伝達し且つ基地局によって送信されるダウンリンクサブフレームを決定するステップが、
ＵＥによって、基地局によって送信された、ダウンリンクサブフレームが第１のサブフレーム、第２のサブフレーム又は第３のサブフレームであることを指摘するために使用されるサブフレームタイプ指示を受信するステップを含む。
【００２４】
第２の態様の第４又は第５の可能な実装方式に関連した第２の態様の第６の可能な実装方式では、ダウンリンクサブフレームが第３のサブフレームである場合に、ＵＥによって第１の情報を、ダウンリンクサブフレームを用いることによって受信するステップの前に、本方法は、
ＵＥによって、基地局によって送信された、少なくとも１つの物理リソースブロック対が第１の周波数帯域を占有し且つ少なくとも１つのサブ物理リソースブロック対が第２の周波数帯域を占有することを指摘するために使用される周波数帯域指示を受信するステップをさらに含む。
【００２５】
第２の態様の第６の可能な実装方式に関連した第２の態様の第７の可能な実装方式では、ＵＥによって第１の情報を、ダウンリンクサブフレームを用いることによって受信するステップが、
ＵＥによって、第１の周波数帯域上にあり且つ基地局によって送信された物理リソースブロック対を、第１の巡回プレフィックスＣＰ長さを用いることによって受信するステップであって、当該第１の周波数帯域上の物理リソースブロック対が第１の情報を伝達する、受信するステップ、又は
ＵＥによって、第２の周波数帯域上にあり且つ基地局によって送信されたサブ物理リソースブロック対を、第２のＣＰ長さを用いることによって受信するステップであって、当該第２の周波数帯域上のサブ物理リソースブロック対が第１の情報を伝達する、受信するステップ、を含んでおり、ここで
第１のＣＰ長さは第２のＣＰ長さと異なる。
【００２６】
第２の態様又は第２の態様の第１から第７の可能な実装方式のいずれか１つに関連した第２の態様の第８の可能な実装方式では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【００２７】
第２の態様の第８の可能な実装方式に関連した第２の態様の第９の可能な実装方式では、ダウンリンクデータチャンネルをスケジュール設定するための制御情報がダウンリンクデータチャンネルのリソース割当て指示を含むと共に、当該ダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又は当該ダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される、或いは
アップリンクデータチャンネルをスケジュール設定するための制御情報がアップリンクデータチャンネルのリソース割当て指示を含むと共に、当該アップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び量を指摘するために使用される。
【００２８】
第２の態様の第９の可能な実装方式に関連した第２の態様の第１０の可能な実装方式では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【００２９】
第３の態様によれば本発明の一実施形態は、
基地局によってレートマッチング情報を決定すると共に、当該レートマッチング情報をユーザ機器ＵＥに送信するステップであって、レートマッチング情報が、ＵＥが第２の情報をダウンリンクサブフレームを用いることによって受信するときにＵＥがダウンリンクサブフレームにおいて検出することを要さない第１の時間−周波数リソースを指摘するために使用される、ステップと、
基地局によって、ダウンリンクサブフレームをレートマッチング情報に従って決定すると共に、当該ダウンリンクサブフレームをユーザ機器に送信するステップであって、ダウンリンクサブフレームは少なくとも２つのサブフレームを含む、ステップと、
を含む情報送信方法を提供する。
【００３０】
第３の態様に関連した第３の態様の第１の可能な実装方式では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【００３１】
第３の態様の第１の可能な実装方式に関連した第３の態様の第２の可能な実装方式では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００３２】
第３の態様の第２の可能な実装方式に関連した第３の態様の第３の可能な実装方式では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００３３】
第３の態様の第３の可能な実装方式に関連した第３の態様の第４の可能な実装方式では、Ｎ１がＮ２に等しく、且つＭ１がＭ２に等しい。
【００３４】
第３の態様の第３又は第４の可能な実装方式に関連した第３の態様の第５の可能な実装方式では、物理リソースブロック対が第１の周波数帯域を占有し、且つサブ物理リソースブロック対が第２の周波数帯域を占有し、第１の周波数帯域と第２の周波数帯域は重複しない。
【００３５】
第３の態様又は第３の態様の第１から第５の可能な実装方式のいずれか１つに関連した第３の態様の第６の可能な実装方式では、基地局によってレートマッチング情報をユーザ機器ＵＥに送信するステップが、
基地局によって、レートマッチング情報をＵＥに対して、レイヤ１信号伝達又はレイヤ２信号伝達を用いることによって送信するステップを含む。
【００３６】
第３の態様又は第３の態様の第１から第６の可能な実装方式のいずれか１つに関連した第３の態様の第７の可能な実装方式では、第１の時間−周波数リソースに対応するダウンリンクサブフレームがページングサブフレーム又は同期信号送信サブフレームである。
【００３７】
第３の態様又は第３の態様の第１から第７の可能な実装方式のいずれか１つに関連した第３の態様の第８の可能な実装方式では、本方法は、
基地局によってＵＥに構成メッセージを送信するステップであって、当該構成メッセージは、アップリンクスケジュール設定情報、アップリンクパワー制御情報及び周期的アップリンク信号構成情報のうちの少なくとも１つを含み、且つ当該構成メッセージはアップリンクサブフレームにおいてアップリンク信号を当該構成メッセージに従って送信するようにＵＥに対して指令するために使用され、アップリンクサブフレームが第１の時間−周波数リソースを配置させたダウンリンクサブフレームに対応するアップリンクサブフレームである、送信するステップをさらに含む。
【００３８】
第４の態様によれば本発明の一実施形態は、
ユーザ機器ＵＥによって、基地局によって送信されたレートマッチング情報を受信するステップであって、当該レートマッチング情報が、ＵＥが第２の情報をダウンリンクサブフレームを用いることによって受信するときにＵＥがダウンリンクサブフレームにおいて検出することを要さない第１の時間−周波数リソースを指摘するために使用される、テップと、
ＵＥによってレートマッチング情報に従って、ダウンリンクサブフレームで伝達される第２の情報を受信するステップであって、ダウンリンクサブフレームは少なくとも２つのサブフレームを含む、ステップと、
を含む情報受信方法を提供する。
【００３９】
第４の態様に関連した第４の態様の第１の可能な実装方式では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【００４０】
第４の態様の第１の可能な実装方式に関連した第４の態様の第２の可能な実装方式では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００４１】
第４の態様の第２の可能な実装方式に関連した第４の態様の第３の可能な実装方式では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００４２】
第４の態様の第３の可能な実装方式に関連した第４の態様の第４の可能な実装方式では、Ｎ１がＮ２に等しく、且つＭ１がＭ２に等しい。
【００４３】
第４の態様の第３又は第４の可能な実装方式に関連した第４の態様の第５の可能な実装方式では、物理リソースブロック対が第１の周波数帯域を占有し、且つサブ物理リソースブロック対が第２の周波数帯域を占有し、第１の周波数帯域と第２の周波数帯域は重複しない。
【００４４】
第４の態様又は第４の態様の第１から第５の可能な実装方式のいずれか１つに関連した第４の態様の第６の可能な実装方式では、ユーザ機器ＵＥによって、基地局によって送信されたレートマッチング情報を受信するステップが、
ＵＥによって、レイヤ１信号伝達又はレイヤ２信号伝達を用いることによって、基地局によって送信されたレートマッチング情報を受信するステップを含む。
【００４５】
第４の態様又は第４の態様の第１から第６の可能な実装方式のいずれか１つに関連した第４の態様の第７の可能な実装方式では、第１の時間−周波数リソースに対応するダウンリンクサブフレームがページングサブフレーム又は同期信号送信サブフレームである。
【００４６】
第４の態様又は第４の態様の第１から第７の可能な実装方式のいずれか１つに関連した第４の態様の第８の可能な実装方式では、本方法は、
ＵＥによって、基地局によって送信された構成メッセージを受信するステップであって、当該構成メッセージは、アップリンクスケジュール設定情報、アップリンクパワー制御情報及び周期的アップリンク信号構成情報のうちの少なくとも１つを含む、受信するステップと、
ＵＥによって、アップリンクサブフレームにおいてアップリンク信号を構成メッセージに従って送信するステップであって、当該アップリンクサブフレームが第１の時間−周波数リソースを配置させたダウンリンクサブフレームに対応するアップリンクサブフレームである、送信するステップと、
をさらに含む。
【００４７】
第５の態様によれば本発明の一実施形態は、
第１の情報をユーザ機器ＵＥに送信するために使用されるダウンリンクサブフレームを決定するように構成されたサブフレーム決定モジュールと、
第１の情報をＵＥに対して、ダウンリンクサブフレームを用いることによって送信するように構成された第１の送信モジュールと、を含む基地局であって、
当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームである、基地局を提供する。
【００４８】
第５の態様に関連した第５の態様の第１の可能な実装方式では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００４９】
第５の態様の第１の可能な実装方式に関連した第５の態様の第２の可能な実装方式では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００５０】
第５の態様の第２の可能な実装方式に関連した第５の態様の第３の可能な実装方式では、Ｎ１がＮ２に等しく、且つＭ１がＭ２に等しい。
【００５１】
第５の態様の第２又は第３の可能な実装方式に関連した第５の態様の第４の可能な実装方式では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【００５２】
第５の態様又は第５の態様の第１から第４の可能な実装方式のいずれか１つに関連した第５の態様の第５の可能な実装方式では、基地局は、
第１の情報がＵＥに対してダウンリンクサブフレームを用いることによって送信される前に、ＵＥに対してサブフレームタイプ指示を送信するように構成された第２の送信モジュールであって、当該サブフレームタイプ指示は、ダウンリンクサブフレームが第１のサブフレーム、第２のサブフレーム又は第３のサブフレームであることを指摘するために使用される、第２の送信モジュールをさらに含む。
【００５３】
第５の態様の第４又は第５の可能な実装方式に関連した第５の態様の第６の可能な実装方式では、基地局は、
ダウンリンクサブフレームが第３のサブフレームである場合に、第１の情報がＵＥに対してダウンリンクサブフレームを用いることによって送信される前にＵＥに対して周波数帯域指示を送信するように構成された第３の送信モジュールであって、当該周波数帯域指示は、少なくとも１つの物理リソースブロック対が第１の周波数帯域を占有し、且つ少なくとも１つのサブ物理リソースブロック対が第２の周波数帯域を占有することを指摘するために使用される、第３の送信モジュールをさらに含む。
【００５４】
第５の態様の第６の可能な実装方式に関連した第５の態様の第７の可能な実装方式では、第１の送信モジュールが、
第１の情報を伝達する第１の周波数帯域上の物理リソースブロック対をＵＥに対して、第１の巡回プレフィックスＣＰ長さを用いることによって送信すること、又は
第１の情報を伝達する第２の周波数帯域上のサブ物理リソースブロック対をＵＥに対して、第２のＣＰ長さを用いることによって送信すること、を行うように具体的に構成され、ここで
第１のＣＰ長さは第２のＣＰ長さと異なる。
【００５５】
第５の態様又は第５の態様の第１から第７の可能な実装方式のいずれか１つに関連した第５の態様の第８の可能な実装方式では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【００５６】
第５の態様の第８の可能な実装方式に関連した第５の態様の第９の可能な実装方式では、ダウンリンクデータチャンネルをスケジュール設定するための制御情報がダウンリンクデータチャンネルのリソース割当て指示を含むと共に、当該ダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又は当該ダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される、或いは
アップリンクデータチャンネルをスケジュール設定するための制御情報がアップリンクデータチャンネルのリソース割当て指示を含むと共に、当該アップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び当該サブ物理リソースブロック対の量を指摘するために使用される。
【００５７】
第５の態様の第９の可能な実装方式に関連した第５の態様の第１０の可能な実装方式では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【００５８】
第６の態様によれば本発明の一実施形態は、
第１の情報を伝達し且つ基地局によって送信されるダウンリンクサブフレームを決定するように構成されたサブフレーム決定モジュールと、
第１の情報を、ダウンリンクサブフレームを用いることによって受信するように構成された第１の受信モジュールと、を含むユーザ機器であって、
当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである、ユーザ機器を提供する。
【００５９】
第６の態様に関連した第６の態様の第１の可能な実装方式では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００６０】
第６の態様の第１の可能な実装方式に関連した第６の態様の第２の可能な実装方式では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００６１】
第６の態様の第２の可能な実装方式に関連した第６の態様の第３の可能な実装方式では、Ｎ１がＮ２に等しく、且つＭ１がＭ２に等しい。
【００６２】
第６の態様の第２又は第３の可能な実装方式に関連した第６の態様の第４の可能な実装方式では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【００６３】
第６の態様又は第６の態様の第１から第４の可能な実装方式のいずれか１つに関連した第６の態様の第５の可能な実装方式では、サブフレーム決定モジュールが、
基地局によって送信された、ダウンリンクサブフレームが第１のサブフレーム、第２のサブフレーム又は第３のサブフレームであることを指摘するために使用されるサブフレームタイプ指示を受信するように具体的に構成される。
【００６４】
第６の態様の第４又は第５の可能な実装方式に関連した第６の態様の第６の可能な実装方式では、ユーザ機器は、ダウンリンクサブフレームが第３のサブフレームの場合に、第１の情報がダウンリンクサブフレームを用いることによって受信される前に、基地局によって送信された周波数帯域指示を受信するように構成された第２の受信モジュールであって、当該周波数帯域指示は、少なくとも１つの物理リソースブロック対が第１の周波数帯域を占有し、且つ少なくとも１つのサブ物理リソースブロック対が第２の周波数帯域を占有することを指摘するために使用される、第２の受信モジュールをさらに含む。
【００６５】
第６の態様の第６の可能な実装方式に関連した第６の態様の第７の可能な実装方式では、第１の受信モジュールが、
第１の周波数帯域上にあり且つ基地局によって送信された物理リソースブロック対を、第１の巡回プレフィックスＣＰ長さを用いることによって受信することであって、当該第１の周波数帯域上の物理リソースブロック対が第１の情報を伝達する、受信すること、又は
第２の周波数帯域上にあり且つ基地局によって送信されたサブ物理リソースブロック対を、第２のＣＰ長さを用いることによって受信することであって、当該第２の周波数帯域上のサブ物理リソースブロック対が第１の情報を伝達する、受信すること、を行うように具体的に構成され、ここで
第１のＣＰ長さは第２のＣＰ長さと異なる。
【００６６】
第６の態様又は第６の態様の第１から第７の可能な実装方式のいずれか１つに関連した第６の態様の第８の可能な実装方式では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【００６７】
第６の態様の第８の可能な実装方式に関連した第６の態様の第９の可能な実装方式では、ダウンリンクデータチャンネルをスケジュール設定するための制御情報がダウンリンクデータチャンネルのリソース割当て指示を含むと共に、当該ダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又は当該ダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される、或いは
アップリンクデータチャンネルをスケジュール設定するための制御情報がアップリンクデータチャンネルのリソース割当て指示を含むと共に、当該アップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び量を指摘するために使用される。
【００６８】
第６の態様の第９の可能な実装方式に関連した第６の態様の第１０の可能な実装方式では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【００６９】
第７の態様によれば本発明の一実施形態は、
レートマッチング情報を決定すると共に、当該レートマッチング情報をユーザ機器ＵＥに送信するように構成された情報決定モジュールであって、当該レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される、情報決定モジュールと、
当該レートマッチング情報に従って、ダウンリンクサブフレームを決定すると共に、当該ダウンリンクサブフレームをユーザ機器に送信するように構成された第１の送信モジュールであって、ダウンリンクサブフレームは少なくとも２つのサブフレームを含む、第１の送信モジュールと、
を含む基地局を提供する。
【００７０】
第７の態様に関連した第７の態様の第１の可能な実装方式では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【００７１】
第７の態様の第１の可能な実装方式に関連した第７の態様の第２の可能な実装方式では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００７２】
第７の態様の第２の可能な実装方式に関連した第７の態様の第３の可能な実装方式では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００７３】
第７の態様の第３の可能な実装方式に関連した第７の態様の第４の可能な実装方式では、Ｎ１がＮ２に等しく、且つＭ１がＭ２に等しい。
【００７４】
第７の態様の第３又は第４の可能な実装方式に関連した第７の態様の第５の可能な実装方式では、物理リソースブロック対が第１の周波数帯域を占有し、且つサブ物理リソースブロック対が第２の周波数帯域を占有し、第１の周波数帯域と第２の周波数帯域は重複しない。
【００７５】
第７の態様又は第７の態様の第１から第５の可能な実装方式のいずれか１つに関連した第７の態様の第６の可能な実装方式では、第１の送信モジュールが、
レートマッチング情報をＵＥに対して、レイヤ１信号伝達又はレイヤ２信号伝達を用いることによって送信するように具体的に構成される。
【００７６】
第７の態様又は第７の態様の第１から第６の可能な実装方式のいずれか１つに関連した第７の態様の第７の可能な実装方式では、第１の時間−周波数リソースに対応するダウンリンクサブフレームがページングサブフレーム又は同期信号送信サブフレームである。
【００７７】
第７の態様又は第７の態様の第１から第７の可能な実装方式のいずれか１つに関連した第７の態様の第８の可能な実装方式では、基地局は、
ＵＥに対して構成メッセージを送信するように構成された構成モジュールであって、当該構成メッセージは、アップリンクスケジュール設定情報、アップリンクパワー制御情報及び周期的アップリンク信号構成情報のうちの少なくとも１つを含み、且つ当該構成メッセージはアップリンクサブフレームにおいてアップリンク信号を当該構成メッセージに従って送信するようにＵＥに対して指令するために使用され、アップリンクサブフレームが第１の時間−周波数リソースを配置させたダウンリンクサブフレームに対応するアップリンクサブフレームである、構成モジュールをさらに含む。
【００７８】
第８の態様によれば本発明の一実施形態は、
基地局によって送信されたレートマッチング情報を受信するように構成された第１の受信モジュールであって、当該レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される、第１の受信モジュールと、
レートマッチング情報に従って、ダウンリンクサブフレームで伝達される第２の情報を受信するように構成された第２の受信モジュールであって、ダウンリンクサブフレームは少なくとも２つのサブフレームを含む、第２の受信モジュールと、
を含むユーザ機器を提供する。
【００７９】
第８の態様に関連した第８の態様の第１の可能な実装方式では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【００８０】
第８の態様の第１の可能な実装方式に関連した第８の態様の第２の可能な実装方式では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【００８１】
第８の態様の第２の可能な実装方式に関連した第８の態様の第３の可能な実装方式では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【００８２】
第８の態様の第３の可能な実装方式に関連した第８の態様の第４の可能な実装方式では、Ｎ１がＮ２に等しく、且つＭ１がＭ２に等しい。
【００８３】
第８の態様の第３又は第４の可能な実装方式に関連した第８の態様の第５の可能な実装方式では、物理リソースブロック対が第１の周波数帯域を占有し、且つサブ物理リソースブロック対が第２の周波数帯域を占有し、第１の周波数帯域と第２の周波数帯域は重複しない。
【００８４】
第８の態様又は第８の態様の第１から第５の可能な実装方式のいずれか１つに関連した第８の態様の第６の可能な実装方式では、第１の受信モジュールが、
レイヤ１信号伝達又はレイヤ２信号伝達を用いることによって、基地局によって送信されたレートマッチング情報を受信するように具体的に構成される。
【００８５】
第８の態様又は第８の態様の第１から第６の可能な実装方式のいずれか１つに関連した第８の態様の第７の可能な実装方式では、第１の時間−周波数リソースに対応するダウンリンクサブフレームがページングサブフレーム又は同期信号送信サブフレームである。
【００８６】
第８の態様又は第８の態様の第１から第７の可能な実装方式のいずれか１つに関連した第８の態様の第８の可能な実装方式では、ユーザ機器は、
基地局によって送信された構成メッセージを受信するように構成された第３の受信モジュールであって、当該構成メッセージは、アップリンクスケジュール設定情報、アップリンクパワー制御情報及び周期的アップリンク信号構成情報のうちの少なくとも１つを含む、第３の受信モジュールと、
構成メッセージに従ってアップリンクサブフレームにおいてアップリンク信号を送信するように構成された送信モジュールであって、当該アップリンクサブフレームが第１の時間−周波数リソースを配置させたダウンリンクサブフレームに対応するアップリンクサブフレームである、送信モジュールと、
をさらに含む。
【００８７】
本発明の実施形態において提供される情報送信及び受信方法及びデバイスによれば、基地局はユーザ機器に情報を送信するために使用されるダウンリンクサブフレームを決定し、且つ基地局はＵＥに対して第１の情報を、ダウンリンクサブフレームを用いることによって送信し、当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームであり、これによりＬＴＥ通信システムは様々なネットワークアーキテクチャ及び様々なタイプのＵＥを高効率且つ柔軟にサポートすることが可能となる。
【００８８】
本発明の実施形態における又は従来技術における技術的解決法についてさらに明瞭に説明するために、これら実施形態や従来技術の説明のために必要となる添付の図面について以下で簡単に導入することにする。以下の説明において添付の図面は単に本発明の幾つかの実施形態を示したものであること、また当業者であれば依然としてこれらの添付の図面から創造的努力を伴わずに他の図面を導出し得ることは明らかであろう。
【図面の簡単な説明】
【００８９】
【図１】本発明による情報送信方法の実施形態１の流れ図である。
【図２】本発明の一実施形態による第１のサブフレームの概要構造図である。
【図３】本発明の一実施形態による第２のサブフレームの概要構造図である
【図４】本発明による情報受信方法の実施形態１の流れ図である。
【図５】本発明の一実施形態による情報送信及び受信方法の実施形態１の流れ図である。
【図６】本発明による情報送信方法の実施形態２の流れ図である。
【図７】本発明による情報受信方法の実施形態２の流れ図である。
【図８】本発明による基地局の実施形態１の概要構造図である。
【図９】本発明による基地局の実施形態２の概要構造図である。
【図１０】本発明によるユーザ機器の実施形態１の概要構造図である。
【図１１】本発明によるユーザ機器の実施形態２の概要構造図である。
【図１２】本発明による基地局の実施形態３の概要構造図である。
【図１３】本発明による基地局の実施形態４の概要構造図である。
【図１４】本発明によるユーザ機器の実施形態３の概要構造図である。
【図１５】本発明によるユーザ機器の実施形態４の概要構造図である。
【図１６】本発明による基地局の実施形態５の概要構造図である。
【図１７】本発明によるユーザ機器の実施形態５の概要構造図である。
【図１８】本発明による基地局の実施形態６の概要構造図である。
【図１９】本発明によるユーザ機器の実施形態６の概要構造図である。
【発明を実施するための形態】
【００９０】
本発明の実施形態に関する添付の図面を参照しながら本発明の実施形態の技術的解決法について以下で明瞭且つ完全に説明することにする。記載した実施形態が本発明の実施形態の一部のみであり全部でないことは明らかであろう。本発明の実施形態に基づいて当業者により創造的作業を伴うことなく取得される他のすべての実施形態は本発明の保護域内に入るものとする。
【００９１】
図１は、本発明による情報送信方法の実施形態１の流れ図である。図１に示したように、本発明のこの実施形態で提供される情報送信方法は、基地局によって実行され得る。基地局は、ソフトウェア及び／又はハードウェアを用いることによって実装され得る。この実施形態で提供される情報送信方法は、次のステップを含む。
【００９２】
ステップ１０１：基地局が、第１の情報をユーザ機器ＵＥに送信するために使用されるダウンリンクサブフレームを決定する。
【００９３】
ステップ１０２：基地局が、第１の情報をＵＥに対して、ダウンリンクサブフレームを用いることによって送信する。
【００９４】
当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである。
【００９５】
異なるリリースのＬＴＥ通信システムは、例えば均一なセルが存在するようなシナリオに関して主に配備が行われる（すなわち、マクロセルに主に関連するシナリオに関して配備が行われる）ようなリリース８又は９のＬＴＥ通信システムなどの目下のＬＴＥ通信システムにおける異なるネットワークアーキテクチャに対応している。マクロセルのカバーエリアは比較的大きく、したがって統計の観点からは、各時間期間に（又は、各瞬時であっても）サービス提供を受けるＵＥの量が比較的安定であり、均一なセルの配備が周波数選択スケジュール設定ゲイン及びマルチユーザスケジュール設定ゲインを満たすことができると共に、指定の巡回プレフィックス（ｃｙｃｌｉｃ  ｐｒｅｆｉｘ，略してＣＰ）オーバーヘッドがマルチパス効果に抗するように維持される。
【００９６】
リリース１０のＬＴＥ通信システム以降、特に、目下標準化されており、またさらには将来のＬＴＥシステムとなるリリース１２のＬＴＥ通信システムにおいては、大量の異種ネットワークが配備される（すなわち、マクロセルとマイクロセルを組み合わせることによって配備が実施される）と共に、任意の時点のあらゆる箇所においても高データ速度が改善されるようにマクロセル内におけるマイクロセルの配備密度が益々高まる。マクロセルは、カバー域、無線リソース制御及び移動性能を維持するために主に使用される。さらに、将来の周波数スペクトルの多くは高周波数帯域（３．５ＧＨｚやこれよりさらに高い周波数帯域など）であり、またこの高周波数帯域はより大きな帯域幅の提供が可能である。主流の配備シナリオでは、マクロセルとマイクロセルの間の干渉を低減するためにマクロセルとマイクロセルに関して異周波数配備（ｉｎｔｅｒ−ｆｒｅｑｕｅｎｃｙ）が使用されており、また周波数スペクトル利用度の改善のためにマクロセルとマイクロセルに関する同周波数配備が考慮されることもあり得る。
【００９７】
したがってステップ１０１では、基地局は、基地局によってサポートされるＬＴＥリリース、通信システムアーキテクチャ又はＵＥによってサポートされるＬＴＥリリースに従って、ＵＥへの第１の情報の送信に使用されるダウンリンクサブフレームを決定する必要がある。任意選択では、基地局によってＵＥに送信される第１の情報が、ダウンリンクデータチャンネルをスケジュール設定するための制御情報及びダウンリンクデータチャンネルによって伝達されるダウンリンクデータ、又はアップリンクデータチャンネルをスケジュール設定するための制御情報、を含む。
【００９８】
ステップ１０２では、基地局は、第１の情報をＵＥに対して、ダウンリンクサブフレームを用いることによって送信する。基地局は、ダウンリンクサブフレームにデータ及び制御情報を追加し、これによりＵＥが対応する情報を獲得できるようにしている。
【００９９】
具体的には、この実施形態におけるダウンリンクサブフレームは、第１のサブフレーム、第２のサブフレーム又は第３のサブフレームのうちのいずれか１つである。
【０１００】
第１のサブフレームは少なくとも２つのサブ物理リソースブロック対を含み、第２のサブフレームは少なくとも２つの物理リソースブロック対を含み、また第３のサブフレームは少なくとも１つのサブ物理リソースブロック対と少なくとも１つの物理リソースブロック対を含む。
【０１０１】
サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，略してＯＦＤＭ）シンボルを含み、ここで周波数ドメイン内における隣接する２つの第１のサブキャリア同士の間隔は設定された値より大きく、且つＮ１とＭ１の両方は正の整数である。
【０１０２】
物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０１０３】
任意選択では、Ｎ１がＮ２に等しく、且つＭ１がＭ２に等しい。
【０１０４】
任意選択では、前掲の設定された値を、１５ＫＨｚ、７．５ＫＨｚ、その他とすることがある。
【０１０５】
図２は、本発明の一実施形態による第１のサブフレームの概要構造図である。ＬＴＥ通信システムでは、１つの無線フレームが１０個のサブフレームを含み、また各サブフレームの時間ドメインの長さは１ｍｓである。第１のサブフレームは、その長さが同じく１ｍｓであり且つその時間−周波数ドメインが複数のサブ物理リソースブロック（Ｒｅｓｏｕｒｃｅ  Ｂｌｏｃｋ，略してＲＢ）対（ｐａｉｒ）を含むような新規に導入されたサブフレームであり、各サブ物理リソースブロック対によって占有される時間ドメインの長さは１つのサブフレームの時間ドメインの長さより短い。例えば図２では、第１のタイプのサブフレームが周波数ドメイン幅については６個のサブ物理リソースブロック対を含み、また時間ドメイン長さについては１５個のサブ物理リソースブロック対を含んでおり（１５個のサブ物理リソースブロック対によって１つのサブフレームの時間ドメインの長さが占有されており）、すなわちサブ物理リソースブロック対は、時間ドメインと周波数ドメインという２つの次元においてサブ物理リソースブロック対となっている。各サブ物理リソースブロック対は、周波数ドメインでは１２個のサブキャリアを含み、また時間ドメインでは１４個のＯＦＤＭシンボルを含む。第１のタイプのサブフレームの隣接する２つのサブキャリア同士の間隔は２５０ＫＨｚであり、またシンボルタイムは４マイクロ秒（６６．６７マイクロ秒よりはるかに小さい）である一方、ＣＰ長さは０．７６ナノ秒まで短縮される。
【０１０６】
当業者であれば、具体的な実装プロセスにおいては、各サブ物理リソースブロック対によって占有される時間ドメインの長さがサブフレームの時間ドメインの長さより短い限りにおいて、周波数ドメイン幅及び時間ドメイン長さについてのサブ物理リソースブロック対の量はこの実施形態における具体的な限定ではないことが理解できよう。
【０１０７】
図３は、本発明の一実施形態による第２のサブフレームの概要構造図である。第２のサブフレームは、周波数ドメインについて複数の物理リソースブロック対を含み、また各物理リソースブロック対はサブフレーム全体の時間ドメインの長さを占有する。図３に示したように第２のサブフレームは、周波数ドメイン幅について１００個の物理リソースブロック対を含み、また各物理リソースブロックは２個のタイムスロットを含む。通常のＣＰでは、１つのタイムスロットが７個のＯＦＤＭシンボルを含むと共に、各ＯＦＤＭシンボルの時間ドメインの長さが６６．６７マイクロ秒である。拡張ＣＰでは、１つのタイムスロットが６個のシンボルを含むと共に、通常のＣＰの長さが概ね５マイクロ秒である場合に、拡張ＣＰの長さは概ね１６マイクロ秒である。図３に示したように、物理リソースブロック対（ＲＢ  Ｐａｉｒ）はタイムスロット０とタイムスロット１を含み、また各タイムスロットは７個のＯＦＤＭシンボルを含む。物理リソースブロック対は、周波数ドメイン内で１２個のＯＦＤＭサブキャリアを占有し、サブキャリア同士の間隔は１５ＫＨｚであり、且つＯＦＤＭシンボルの持続時間は１／（１５ＫＨｚ）＝６６．６７マイクロ秒である。
【０１０８】
図２及び図３に示した実施形態から、サブ物理リソースブロック対におけるトランスポート可能なリソースエレメントの量（１２個のサブキャリア、１４個のＯＦＤＭシンボル）は、物理リソースブロック対におけるものと同じであるが、ＯＦＤＭシンボルの持続時間が大幅に低減され、ＣＰ長さが大幅に低減され、且つサブキャリア同士の間隔が大幅に拡大され、これにより高周波数帯域での高密度のマイクロセル配備により好適となることが了解できよう。具体的には、サブキャリア同士の間隔の拡大によってより大きなドプラスプレッドに抗することができ、ＣＰ長さの低減はマイクロセルの配備に対する影響がほとんどないが、オーバーヘッドが低減され、ＯＦＤＭシンボルの持続時間の短縮によってサービス遅延を増大させることがあり、このことは敏感なサービスにとって有益であると共に、ＯＦＤＭシンボルの持続時間の短縮はまた干渉調整及びネットワークパワー効率の改善にとって有益である。具体的には、物理リソースブロックの構造と比較して、サブ物理リソースブロック対の構造は同じ量のデータの伝送を迅速に完了するために使用可能である。というのは、サブ物理リソースブロック対の最小時間スケジュール設定グラニュラリティが１ｍｓよりはるかに小さいからである。この方法ではマイクロセルは、スリープ状態又は閉鎖状態に入るためにより多くのサービスを完了させると共に、セル間干渉調整を時分割方式で実装することが可能である。
【０１０９】
第３のサブフレームは、少なくとも１つのサブ物理リソースブロック対と少なくとも１つの物理リソースブロック対を含む。第３のサブフレームにおけるサブ物理リソースブロック対の構造に関しては図２を参照されたい。また第３のサブフレームにおける物理リソースブロック対の構造に関しては図３を参照されたい。
【０１１０】
任意選択では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０１１１】
具体的には第３のサブフレームにおいて、物理リソースブロック対とサブ物理リソースブロック対とは共存すると共に直交周波数分割による多重化を受ける（すなわち、第３のサブフレームの物理リソースブロック対が第１の周波数帯域を占有し、且つ第３のサブフレームのサブ物理リソースブロック対が第２の周波数帯域を占有し、第１の周波数帯域と第２の周波数帯域は重複しない）。
【０１１２】
本発明のこの実施形態で提供される情報送信方法によれば、基地局は、ユーザ機器への情報の送信に使用されるダウンリンクサブフレームを決定し、また基地局は、第１の情報をＵＥに対して、ダウンリンクサブフレームを用いることによって送信し、ここで当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームであり、これによりＬＴＥ通信システムは様々なネットワークアーキテクチャ及び様々なタイプのＵＥを高効率且つ柔軟にサポートすることが可能である。
【０１１３】
図４は、本発明による情報受信方法の実施形態１の流れ図である。図４に示したように、本発明のこの実施形態で提供される情報受信方法はユーザ機器によって実行され得る。ユーザ機器は、ソフトウェア及び／又はハードウェアを用いることによって実装され得る。この実施形態で提供される情報受信方法は、次のステップを含む。
【０１１４】
ステップ４０１：ユーザ機器ＵＥが、第１の情報を伝達し且つ基地局によって送信されるダウンリンクサブフレームを決定する。
【０１１５】
ステップ４０２：ＵＥが、第１の情報を、ダウンリンクサブフレームを用いることによって受信する。
【０１１６】
当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである。
【０１１７】
サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１のＯＦＤＭシンボルを含み、ここで周波数ドメイン内における隣接する２つの第１のサブキャリア同士の間隔は設定された値より大きく、且つＮ１とＭ１の両方は正の整数である。
【０１１８】
物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０１１９】
Ｎ１はＮ２に等しく、且つＭ１はＭ２に等しい。
【０１２０】
任意選択では、前掲の設定された値を、１５ＫＨｚ、７．５ＫＨｚ、その他とすることがある。
【０１２１】
第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０１２２】
この実施形態の用途シナリオは図１に示した実施形態と同様であり、本明細書ではこの実施形態で再度詳細を記載していない。ステップ４０１では、ＵＥは、第１の情報を伝達すると共に基地局によって送信されるダウンリンクサブフレームを決定する。具体的にはＵＥは、基地局によって送信された、ダウンリンクサブフレームが第１のサブフレーム、第２のサブフレーム又は第３のサブフレームであることを指摘するために使用されるサブフレームタイプ指示を受信する。ステップ４０２では、ＵＥは第１の情報を、ダウンリンクサブフレームを用いることによって受信し、ここで第１の情報はダウンリンクデータチャンネルをスケジュール設定するための制御情報及びダウンリンクデータチャンネルによって伝達されるダウンリンクデータ、又はアップリンクデータチャンネルをスケジュール設定するための制御情報、を含む。
【０１２３】
第１のサブフレームの構造に関しては図２に示した実施形態を参照されたい（本明細書ではこの実施形態で再度詳細を記載していない）。第２のサブフレームの構造に関しては図３に示した実施形態を参照されたい（本明細書ではこの実施形態で再度詳細を記載していない）。第３のサブフレームは、少なくとも１つのサブ物理リソースブロック対と少なくとも１つの物理リソースブロック対を含む。第３のサブフレームのサブ物理リソースブロック対の構造に関しては図２を参照されたい。また第３のサブフレームの物理リソースブロック対の構造に関しては図３を参照されたい（本明細書ではこの実施形態で再度詳細を記載していない）。
【０１２４】
本発明のこの実施形態で提供される情報受信方法によれば、ＵＥが、第１の情報を伝達し且つ基地局によって送信されるダウンリンクサブフレームを決定し、またＵＥは第１の情報を、ダウンリンクサブフレームを用いることによって受信し、ここで当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つであり、これによりＬＴＥ通信システムは様々なネットワークアーキテクチャ及び様々なタイプのＵＥを高効率且つ柔軟にサポートすることが可能である。
【０１２５】
図５は、本発明の一実施形態による情報送信及び受信方法の実施形態１の流れ図である。この実施形態では、本発明の情報送信及び受信方法について図１〜図４に示した実施形態に基づいて詳細に説明する
【０１２６】
ステップ５０１：基地局が、第１の情報をユーザ機器ＵＥに送信するために使用されるダウンリンクサブフレームを決定する。
【０１２７】
ステップ５０２：基地局がＵＥに対して、ダウンリンクサブフレームが第１のサブフレーム、第２のサブフレーム又は第３のサブフレームであることを指摘するために使用されるサブフレームタイプ指示を送信する。
【０１２８】
ステップ５０３：ＵＥが、基地局によって送信された、ダウンリンクサブフレームが第１のサブフレーム、第２のサブフレーム又は第３のサブフレームであることを指摘するために使用されるサブフレームタイプ指示を受信する。
【０１２９】
ステップ５０４：基地局が、第１の情報をＵＥに対して、ダウンリンクサブフレームを用いることによって送信する。
【０１３０】
ステップ５０５：ＵＥが、第１の情報をダウンリンクサブフレームを用いることによって受信する。
【０１３１】
この実施形態では、ステップ５０１はステップ１０１と同様であり、本明細書ではこの実施形態で再度詳細を記載していない。
【０１３２】
ステップ５０２及びステップ５０３では、基地局はサブフレームタイプ指示をＵＥに送信し、またＵＥはダウンリンクサブフレームが第１のサブフレーム、第２のサブフレーム又は第３のサブフレームであることを指摘するために使用されるサブフレームタイプ指示を受信する。当業者であれば、具体的な実装プロセスにおいては基地局とＵＥが、基地局とＵＥを、第１のサブフレーム、第２のサブフレーム又は第３のサブフレームの指定のサブフレーム構造を事前保存できるように事前構成し得ることが理解できよう。基地局がサブフレームタイプ指示をＵＥに送信すると、ＵＥはこのサブフレームタイプ指示に従って、当該サブフレームが具体的に第１のサブフレームであるか、第２のサブフレームであるか又は第３のサブフレームであるか決定し、次いで対応するサブフレームにおいてそのサブフレームの構造に従って、基地局によって送信された情報を受信する。
【０１３３】
任意選択では、ダウンリンクサブフレームが第３のサブフレームである場合に、ステップ５０４の前にこの実施形態で提供される方法は、
基地局によってＵＥに対して、少なくとも１つの物理リソースブロック対が第１の周波数帯域を占有し且つ少なくとも１つのサブ物理リソースブロック対が第２の周波数帯域を占有することを指摘するために使用される周波数帯域指示を送信するステップと、
ＵＥによって、基地局によって送信された、少なくとも１つの物理リソースブロック対が第１の周波数帯域を占有し且つ少なくとも１つのサブ物理リソースブロック対が第２の周波数帯域を占有することを指摘するために使用される周波数帯域指示を受信するステップと、
をさらに含む。
【０１３４】
相応してステップ５０４は以下の可能な実装方式、すなわち
基地局によってＵＥに対して、第１の情報を伝達する第１の周波数帯域上の物理リソースブロック対を、第１の巡回プレフィックスＣＰ長さを用いることによって送信するステップ、又は
基地局によってＵＥに対して、第１の情報を伝達する第２の周波数帯域上のサブ物理リソースブロック対を、第２のＣＰ長さを用いることによって送信するステップ、
の形で実装されることがある。
【０１３５】
相応してステップ５０５は、以下の可能な実装方式、すなわち
ＵＥによって、第１の周波数帯域上にあり且つ基地局によって送信された物理リソースブロック対を、第１の巡回プレフィックスＣＰ長さを用いることによって受信するステップであって、当該第１の周波数帯域上の物理リソースブロック対が第１の情報を伝達する、受信するステップ、又は
ＵＥによって、第２の周波数帯域上にあり且つ基地局によって送信されたサブ物理リソースブロック対を、第２のＣＰ長さを用いることによって受信するステップであって、当該第２の周波数帯域上のサブ物理リソースブロック対が第１の情報を伝達する、受信するステップ、の形で実装されることがあり、ここで
ＵＥは、第１の周波数帯域上にあり且つ基地局によって送信された物理リソースブロック対を、第１のＣＰ長さを用いることによって受信し、且つＵＥは、第２の周波数帯域上にあり且つ基地局によって送信されたサブ物理リソースブロック対を、第２のＣＰ長さを用いることによって受信し、ここで第１のＣＰ長さは第２のＣＰ長さと異なる。
【０１３６】
具体的な実装プロセスにおいて、周波数分割多重方式で基地局がサブ物理リソースブロック対と物理リソースブロック対を送信し、ＵＥが周波数帯域上で同じ構成をもつ基準信号を受信する。例えばＵＥは、物理リソースブロック対の周波数帯域上で、セル特異的基準信号ＣＲＳ又はチャンネル状態情報−基準信号ＣＳＩ−ＲＳなど、計測に使用される基準信号を受信すると共に、サブ物理リソースブロック対の波数帯域上でブロードキャスト信号を受信し、これにより計測ステップが簡略化されると共に、ＵＥは２つの周波数帯域で異なる構成をもつ基準信号を別々に受信する必要がなくなる。
【０１３７】
さらに、物理リソースブロック対とサブ物理リソースブロック対は、キャリアにおける多重化を受けるか、又は同じサブフレーム内での周波数分割多重を受け、これにより、異なるサービスタイプをサポートするなど、柔軟性を改善することが可能である。例えば、第１の周波数帯域をマルチキャストサービス伝送に使用すると共に拡張ＣＰを使用し、第２の周波数帯域をユニキャストサービス伝送に使用すると共に通常のＣＰを使用する。
【０１３８】
任意選択では、図１〜図５に示した実施形態に基づいて、第１の情報が、ダウンリンクデータチャンネルをスケジュール設定するための制御情報及びダウンリンクデータチャンネルによって伝達されるダウンリンクデータ、又はアップリンクデータチャンネルをスケジュール設定するための制御情報、を含む。
【０１３９】
当該ダウンリンクデータチャンネルをスケジュール設定するための制御情報がダウンリンクデータチャンネルのリソース割当て指示を含んでおり、このダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又はこのダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される。
【０１４０】
別法として、当該アップリンクデータチャンネルをスケジュール設定するための制御情報がアップリンクデータチャンネルのリソース割当て指示を含んでおり、このアップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び当該サブ物理リソースブロック対の量を指摘するために使用される。
【０１４１】
具体的には、ダウンリンクデータチャンネルをスケジュール設定するための制御情報とアップリンクデータチャンネルをスケジュール設定するための制御情報とを一括して制御情報と呼ぶことがあり、またダウンリンクデータチャンネルとアップリンクデータチャンネルとを一括してデータチャンネルと呼ぶことがある。当業者であれば、制御情報について、基地局は制御情報を検索空間で送信することがあり、またユーザ機器は指定の制御情報を検索空間からブラインド検出方式で獲得することを理解できよう。
【０１４２】
さらに、ダウンリンクデータチャンネルをスケジュール設定するための制御情報がダウンリンクデータチャンネルのトランスポートブロックサイズを指摘するために使用される変調／符号化方式をさらに含むか、又は
アップリンクデータチャンネルをスケジュール設定するための制御情報がアップリンクデータチャンネルのトランスポートブロックサイズを指摘するために使用される変調／符号化方式をさらに含む。
【０１４３】
任意選択では、制御情報は変調／符号化方式をさらに含むと共に、リソース割当て指示は、ダウンリンクサブフレーム内にあり且つＵＥに割り当てられた物理リソースブロック対の箇所を指摘するために使用され、これによりＵＥは、変調／符号化方式に従ったデータチャンネルのトランスポートブロックサイズ及び当該物理リソースブロック対の箇所において伝達される物理リソースブロック対の量を決定すると共に、このトランスポートブロックサイズに従ってダウンリンクデータの受信又はアップリンクデータの送信を行う。
【０１４４】
別法として、具体的にはＵＥは、リソース割当て指示及び変調／符号化方式に従ってテーブルを検索して目下のトランスポートブロックサイズを決定し、また最終的にこのトランスポートブロックサイズに従ってダウンリンクデータをデコードする。この実施形態では、サブ物理リソースブロック対のリソースエレメントの量は物理リソースブロック対のリソースエレメントの量と整合し（Ｎ１がＮ２に等しく且つＭ１がＭ２に等しく）、またしたがって同じ物理リソースブロック対に対応するトランスポートブロックサイズマッピングテーブルが２次元サブ物理リソースブロック対に関するリソース割当て及び変調／符号化方式に従って検索されることがあり、このことにより元のマッピングテーブルが使用されること及びテーブルの検索方式だけが変更されることを保証することが可能であり、これにより実装の複雑さを低減するようにシステム設計が簡略化される（すなわち、新たなトランスポートブロック値や新たなテーブルを設計することを要しない）。
【０１４５】
図６は、本発明による情報送信方法の実施形態２の流れ図である。図６に示したように、本発明のこの実施形態で提供される情報送信方法は、基地局によって実行され得る。基地局は、ソフトウェア及び／又はハードウェアを用いることによって実装され得る。この実施形態で提供される情報送信方法は、次のステップを含む。
【０１４６】
ステップ６０１：基地局が、レートマッチング情報を決定すると共に、当該レートマッチング情報をユーザ機器ＵＥに送信する。レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される
【０１４７】
ステップ６０２：基地局が、レートマッチング情報に従ってダウンリンクサブフレームを決定すると共に、当該ダウンリンクサブフレームをユーザ機器に送信する。ダウンリンクサブフレームは少なくとも２つのサブフレームを含む。
【０１４８】
この実施形態の用途シナリオは、図１に示した実施形態の用途シナリオと同様であり、本明細書ではこの実施形態で再度詳細を記載していない。
【０１４９】
具体的には、より上のリリースのＬＴＥシステムや将来リリースのＬＴＥシステムに新たな第１の時間−周波数リソースが導入されたとき、このより上のリリースのＬＴＥシステムや将来リリースのＬＴＥシステムは前方互換性をサポートする。すなわち、より上のリリースのＬＴＥシステムや将来リリースのＬＴＥシステムに新たな第１の時間−周波数リソースが導入された場合、このより上のリリースのＬＴＥシステムや将来リリースのＬＴＥシステムはまた旧リリースのＵＥに対して高効率のサポートを提供することができる。この実施形態では、新たな第１の時間−周波数リソースは旧リリースのＵＥに関するレートマッチング情報を構成することによって回避され、これにより将来リリースのＬＴＥシステムは旧リリースのＵＥに悪影響を及ぼすことがなく、また具体的な実装プロセスは以下のようである。
【０１５０】
ステップ６０１では、基地局は、基地局によってサポートされるＬＴＥリリース、通信システムアーキテクチャ又はＵＥによってサポートされるＬＴＥリリースに従って、ＵＥが第２の情報をダウンリンクサブフレームを用いることによって受信するときにＵＥがダウンリンクサブフレームにおいて検出することを要さない第１の時間−周波数リソースを指摘するために使用されるレートマッチング情報を決定すると共に、当該レートマッチング情報をユーザ機器に送信することが必要である。第１の時間−周波数リソースに対応するダウンリンクサブフレームは、ページングサブフレーム又は同期信号送信サブフレームである。具体的には、基地局はレートマッチング情報をＵＥに対して、レイヤ１信号伝達又はレイヤ２信号伝達を用いることによって送信する。
【０１５１】
ステップ６０２では、基地局は、レートマッチング情報に従って、ダウンリンクサブフレームを決定すると共に、当該ダウンリンクサブフレームをユーザ機器に送信する。ダウンリンクサブフレームは少なくとも２つのサブフレームを含む。
【０１５２】
この実施形態で提供される情報送信方法によれば、基地局は、ＵＥが第２の情報をダウンリンクサブフレームを用いることによって受信するときにＵＥがダウンリンクサブフレームにおいて検出することを要さない第１の時間−周波数リソースを指摘するために使用されるレートマッチング情報を決定すると共に、当該レートマッチング情報をＵＥに送信し、且つ基地局は、レートマッチング情報に従って少なくとも２つのサブフレームを含むダウンリンクサブフレームを決定すると共に、当該ダウンリンクサブフレームをユーザ機器に送信し、これにより、より上のリリースのＬＴＥシステムや将来リリースのＬＴＥシステムは旧リリースのＵＥに対して高効率のサポートを提供することが可能であり且つＬＴＥ通信システムは様々なネットワークアーキテクチャ及び様々なタイプのＵＥを高効率且つ柔軟にサポートすることが可能である。
【０１５３】
図７は、本発明による情報受信方法の実施形態２の流れ図である。図７に示したように、本発明のこの実施形態で提供される情報受信方法はユーザ機器によって実行され得る。このユーザ機器は、ソフトウェア及び／又はハードウェアを用いることによって実装され得る。この実施形態で提供される情報受信方法は、次のステップを含む。
【０１５４】
ステップ７０１：ユーザ機器ＵＥが、基地局によって送信されたレートマッチング情報を受信する。レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される。
【０１５５】
ステップ７０２：ＵＥが、レートマッチング情報に従って、ダウンリンクサブフレームで伝達される第２の情報を受信する。ダウンリンクサブフレームは少なくとも２つのサブフレームを含む。
【０１５６】
この実施形態の用途シナリオは図６に示した実施形態と同様であり、本明細書ではこの実施形態で再度詳細を記載していない。
【０１５７】
具体的な実装プロセスにおいて、ＵＥは、レイヤ１信号伝達又はレイヤ２信号伝達を用いることによって、基地局によって送信されたレートマッチング情報を受信する。基地局によって送信されたダウンリンクサブフレームがレートマッチング情報に従って受信されたときに、ダウンリンクサブフレーム内の第１の時間−周波数リソースのすべてが検出されるのではなく、第１の時間−周波数リソースの一部は検出も受信も行われない（すなわち、第１の時間−周波数リソースの一部はスキップされる）。ＵＥによってスキップされた第１の時間−周波数リソースは具体的には、ＵＥによってサポートされるＬＴＥリリースによるサポートを受けない第１の時間−周波数リソースとすることがあり、またこの第１の時間−周波数リソースに対応するダウンリンクサブフレームはページングサブフレーム又は同期信号送信サブフレームである。
【０１５８】
この実施形態で提供される情報受信方法によれば、ユーザ機器ＵＥは、基地局によって送信された、ＵＥが第２の情報をダウンリンクサブフレームを用いることによって受信するときにＵＥがダウンリンクサブフレームにおいて検出することを要さない第１の時間−周波数リソースを指摘するために使用されるレートマッチング情報を受信し、且つＵＥは当該レートマッチング情報に従って、少なくとも２つのサブフレームを含むダウンリンクサブフレームで伝達される第２の情報を受信し、これにより旧リリースのＵＥをより上のリリースのＬＴＥシステムや将来リリースのＬＴＥシステムに使用することが可能であると共に、ＬＴＥ通信システムはまた様々なネットワークアーキテクチャ及び様々なタイプのＵＥを高効率且つ柔軟にサポートすることが可能である。
【０１５９】
図６及び図７に示した前掲の実施形態に基づけば、第１の時間−周波数リソースについて複数の可能な実装方式が存在し、またこれら複数の可能な実装方式は具体的に以下のようである。
【０１６０】
可能な一実装方式では、第１の時間−周波数リソースが、少なくとも１つのサブフレーム内に含まれたすべての時間−周波数リソースを含む。
【０１６１】
別の可能な実装方式では、第１の時間−周波数リソースが、物理リソースブロック、サブ物理リソースブロック、物理リソースブロック対及びサブ物理リソースブロック対のうちの少なくとも１つを含む。
【０１６２】
任意選択では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１のＯＦＤＭシンボルを含み、ここで周波数ドメイン内における隣接する２つの第１のサブキャリア同士の間隔は設定された値より大きく、且つＮ１とＭ１の両方は正の整数である。
【０１６３】
物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０１６４】
Ｎ１がＮ２に等しく、且つＭ１がＭ２に等しい。
【０１６５】
物理リソースブロック対が第１の周波数帯域を占有し、且つサブ物理リソースブロック対が第２の周波数帯域を占有し、第１の周波数帯域と第２の周波数帯域は重複しない。
【０１６６】
サブ物理リソースブロック対に関する具体的な実装方式については図２に示した実施形態を参照されたい。また物理リソースブロック対に関する具体的な実装方式については図３に示した実施形態を参照されたい。
【０１６７】
さらに別の可能な実装方式では、第１の時間−周波数リソースが、リソースエレメント、リソースエレメントグループ及び制御チャンネルエレメントのうちの少なくとも１つを含む。
【０１６８】
具体的には、リソースエレメントはＯＦＤＭシンボルにおけるサブキャリア（すなわち、最小のリソース単位）であり、リソースエレメントグループは幾つかのリソースエレメント（連続性とすることも非連続性とすることもあり得る）であり、制御チャンネルエレメントは物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ，略してＰＤＣＣＨ）又は拡張型物理ダウンリンク制御チャンネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ，略してＥＰＤＣＣＨ）などの制御チャンネルの最小の単位であり、また１つの制御チャンネルエレメントは幾つかのリソースエレメントグループを含み得る。
【０１６９】
別の可能な実装方式では、第１の時間−周波数リソースが参照信号のリソースパターンを含む。
【０１７０】
具体的には、基準信号のリソースパターンは、目下のＬＴＥにおけるセル特異的基準信号、チャンネル状態情報基準信号、同期シーケンス、ＵＥ特異的基準信号、その他によって占有されるリソースであってよい。
【０１７１】
前掲の実施形態に基づいて、基地局はＵＥに対して、アップリンクスケジュール設定情報、アップリンクパワー制御情報及び周期的アップリンク信号構成情報のうちの少なくとも１つを含む構成メッセージを送信すると共に、ＵＥは基地局によって送信されたこの構成メッセージを受信し、且つＵＥは構成メッセージに従って、第１の時間−周波数リソースを配置させたダウンリンクサブフレームに対応するアップリンクサブフレームであるアップリンクサブフレームにおいてアンリンク信号を送信する。
【０１７２】
具体的には、ダウンリンクサブフレームの第１の時間−周波数リソースは、ＵＥによる使用が不可能である。すなわち、そのサブフレームをスキップすることが必要である。しかし、ダウンリンクサブフレームに対応するアップリンクサブフレームは、ＵＥに対してアップリンク信号を送信するように構成されることがある。すなわち、アップリンクサブフレームとダウンリンクサブフレームを別々に使用すると共に、ダウンリンクサブフレームをスキップすることは、ダウンリンクサブフレームに対応するアップリンクサブフレームの使用に影響を及ぼさない。ここにおける対応関係は、ダウンリンクデータと当該ダウンリンクデータに対応するアップリンク肯定応答（Ａｃｋｎｏｗｌｅｄｇｅ，略してＡＣＫ）／否定応答（Ｎｏｔ  Ａｃｋｎｏｗｌｅｄｇｅ，略してＮＡＣＫ）の時間シーケンス関係に対応するアップリンクサブフレームとダウンリンクサブフレームの間の対応関係であることがあり、又はアップリンクデータと当該アップリンクデータに対応するダウンリンクＡＣＫ／ＮＡＣＫの時間シーケンス関係に対応するアップリンクサブフレーム及びダウンリンクサブフレームであることがあり、又は別のアップリンクサブフレームと別のダウンリンクサブフレームの対応関係を含むことがあり、これらは本明細書における限定ではない。
【０１７３】
図８は、本発明による基地局８０の実施形態１の概要構造図である。図８に示したように、本発明のこの実施形態で提供される基地局８０は、サブフレーム決定モジュール８０１と、第１の送信モジュール８０２と、を含む。
【０１７４】
サブフレーム決定モジュール８０１は、第１の情報をユーザ機器ＵＥに送信するために使用されるダウンリンクサブフレームを決定するように構成される。
【０１７５】
第１の送信モジュール８０２は、第１の情報をＵＥに対して、ダウンリンクサブフレームを用いることによって送信するように構成される。
【０１７６】
当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームである。
【０１７７】
本発明のこの実施形態で提供される基地局は、前掲の方法実施形態の技術的解決法を実行するように構成されることがある。その実装原理及び技術的効果は同様であり、本明細書では再度詳細を記載していない。
【０１７８】
図９は、本発明による基地局の実施形態２の概要構造図である。図９に示したように、この実施形態は図８に示した実施形態に基づいて実装され、具体的には以下のようである。
【０１７９】
任意選択では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０１８０】
任意選択では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０１８１】
任意選択では、Ｎ１がＮ２に等しく、且つＭ１がＭ２に等しい。
【０１８２】
任意選択では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０１８３】
任意選択では、基地局８０は、第１の情報がＵＥに対してダウンリンクサブフレームを用いることによって送信される前に、ＵＥに対してサブフレームタイプ指示を送信するように構成された第２の送信モジュール８０３をさらに含んでおり、ここで当該サブフレームタイプ指示は、ダウンリンクサブフレームが第１のサブフレーム、第２のサブフレーム又は第３のサブフレームであることを指摘するために使用される。
【０１８４】
任意選択では、基地局８０は、ダウンリンクサブフレームが第３のサブフレームである場合に、第１の情報がＵＥに対してダウンリンクサブフレームを用いることによって送信される前にＵＥに対して周波数帯域指示を送信するように構成された第３の送信モジュール８０４をさらに含んでおり、ここで当該周波数帯域指示は、少なくとも１つの物理リソースブロック対が第１の周波数帯域を占有し、且つ少なくとも１つのサブ物理リソースブロック対が第２の周波数帯域を占有することを指摘するために使用される。
【０１８５】
任意選択では、第１の送信モジュール８０２は、
第１の情報を伝達する第１の周波数帯域上の物理リソースブロック対をＵＥに対して、第１の巡回プレフィックスＣＰ長さを用いることによって送信すること、又は
第１の情報を伝達する第２の周波数帯域上のサブ物理リソースブロック対をＵＥに対して、第２のＣＰ長さを用いることによって送信すること、を行うように具体的に構成され、ここで
第１のＣＰ長さは第２のＣＰ長さと異なる。
【０１８６】
任意選択では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【０１８７】
任意選択では、ダウンリンクデータチャンネルをスケジュール設定するための制御情報がダウンリンクデータチャンネルのリソース割当て指示を含み、このダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又はこのダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される。
【０１８８】
別法として、アップリンクデータチャンネルをスケジュール設定するための制御情報がアップリンクデータチャンネルのリソース割当て指示を含み、このアップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び当該サブ物理リソースブロック対の量を指摘するために使用される。
【０１８９】
任意選択では、ダウンリンクデータチャンネルをスケジュール設定するための制御情報がダウンリンクデータチャンネルのトランスポートブロックサイズを指摘するために使用される変調／符号化方式をさらに含むか、又は
アップリンクデータチャンネルをスケジュール設定するための制御情報がアップリンクデータチャンネルのトランスポートブロックサイズを指摘するために使用される変調／符号化方式をさらに含む。
【０１９０】
本発明のこの実施形態で提供される基地局は、前掲の方法実施形態の技術的解決法を実行するように構成されることがある。その実装原理及び技術的効果は同様であり、本明細書では再度詳細を記載していない。
【０１９１】
図１０は、本発明によるユーザ機器１００の実施形態１の概要構造図である。図１０に示したように、本発明のこの実施形態で提供されるユーザ機器１００は、サブフレーム決定モジュール１００１と、第１の受信モジュール１００２と、を含む。  
【０１９２】
サブフレーム決定モジュール１００１は、第１の情報を伝達し且つ基地局によって送信されるダウンリンクサブフレームを決定するように構成される。
【０１９３】
第１の受信モジュール１００２は、第１の情報をダウンリンクサブフレームを用いることによって受信するように構成される。
【０１９４】
当該ダウンリンクサブフレームは、少なくとも２つのサブ物理リソースブロック対を含んだ第１のサブフレームと、少なくとも２つの物理リソースブロック対を含んだ第２のサブフレームと、少なくとも１つのサブ物理リソースブロック対と少なくとも１つの物理リソースブロック対を含んだ第３のサブフレームとのうちのいずれか１つである。
【０１９５】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０１９６】
図１１は、本発明によるユーザ機器の実施形態２の概要構造図である。図１１に示したように、本発明のこの実施形態は図１０に示した実施形態に基づいて実装され、具体的には以下のようである。
【０１９７】
任意選択では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０１９８】
任意選択では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０１９９】
任意選択では、Ｎ１がＮ２に等しく、且つＭ１がＭ２に等しい。
【０２００】
任意選択では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０２０１】
任意選択では、サブフレーム決定モジュール１００１は、
基地局によって送信された、ダウンリンクサブフレームが第１のサブフレーム、第２のサブフレーム又は第３のサブフレームであることを指摘するために使用されるサブフレームタイプ指示を受信するように具体的に構成される。
【０２０２】
任意選択では、ユーザ機器１００は、ダウンリンクサブフレームが第３のサブフレームの場合に、第１の情報がダウンリンクサブフレームを用いることによって受信される前に、基地局によって送信された周波数帯域指示を受信するように構成された第２の受信モジュール１００３をさらに含んでおり、ここで当該周波数帯域指示は、少なくとも１つの物理リソースブロック対が第１の周波数帯域を占有し、且つ少なくとも１つのサブ物理リソースブロック対が第２の周波数帯域を占有することを指摘するために使用される。
【０２０３】
任意選択では、第１の受信モジュール１００２は、
第１の周波数帯域上にあり且つ基地局によって送信された物理リソースブロック対を、第１の巡回プレフィックスＣＰ長さを用いることによって受信することであって、当該第１の周波数帯域上の物理リソースブロック対が第１の情報を伝達する、受信すること、又は
第２の周波数帯域上にあり且つ基地局によって送信されたサブ物理リソースブロック対を、第２のＣＰ長さを用いることによって受信することであって、当該第２の周波数帯域上のサブ物理リソースブロック対が第１の情報を伝達する、受信すること、を行うように具体的に構成され、ここで
第１のＣＰ長さは第２のＣＰ長さと異なる。
【０２０４】
任意選択では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【０２０５】
任意選択では、ダウンリンクデータチャンネルをスケジュール設定するための制御情報がダウンリンクデータチャンネルのリソース割当て指示を含み、このダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又はこのダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される。
【０２０６】
別法として、アップリンクデータチャンネルをスケジュール設定するための制御情報がアップリンクデータチャンネルのリソース割当て指示を含み、このアップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び量を指摘するために使用される。
【０２０７】
任意選択では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【０２０８】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０２０９】
図１２は、本発明による基地局１２０の実施形態３の概要構造図である。図１２に示したように、本発明のこの実施形態で提供される基地局１２０は、情報決定モジュール１２０１と、第１の送信モジュール１２０２と、を含む。
【０２１０】
情報決定モジュール１２０１は、レートマッチング情報を決定すると共に、当該レートマッチング情報をユーザ機器ＵＥに送信するように構成され、ここでレートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される。
【０２１１】
第１の送信モジュール１２０２は、当該レートマッチング情報に従って、ダウンリンクサブフレームを決定すると共に、当該ダウンリンクサブフレームをユーザ機器に送信するように構成される。ダウンリンクサブフレームは少なくとも２つのサブフレームを含む。
【０２１２】
本発明のこの実施形態で提供される基地局は、前掲の方法実施形態の技術的解決法を実行するように構成されることがある。その実装原理及び技術的効果は同様であり、本明細書では再度詳細を記載していない。
【０２１３】
図１３は、本発明による基地局の実施形態４の概要構造図である。図１３に示したように、本発明のこの実施形態は図１２に示した実施形態に基づいて実装され、具体的には以下のようである。
【０２１４】
任意選択では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【０２１５】
任意選択では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２１６】
任意選択では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２１７】
任意選択では、Ｎ１がＮ２に等しく、且つＭ１がＭ２に等しい。
【０２１８】
任意選択では、物理リソースブロック対が第１の周波数帯域を占有し、且つサブ物理リソースブロック対が第２の周波数帯域を占有し、第１の周波数帯域と第２の周波数帯域は重複しない。
【０２１９】
任意選択では、第１の送信モジュール１２０２は、
レートマッチング情報をＵＥに対して、レイヤ１信号伝達又はレイヤ２信号伝達を用いることによって送信するように具体的に構成される。
【０２２０】
任意選択では、第１の時間−周波数リソースに対応するダウンリンクサブフレームがページングサブフレーム又は同期信号送信サブフレームである。
【０２２１】
任意選択では、基地局１２０は、ＵＥに構成メッセージを送信するように構成された構成モジュール１２０３をさらに含んでおり、ここで当該構成メッセージは、アップリンクスケジュール設定情報、アップリンクパワー制御情報及び周期的アップリンク信号構成情報のうちの少なくとも１つを含み、且つ当該構成メッセージはアップリンクサブフレームにおいてアップリンク信号を当該構成メッセージに従って送信するようにＵＥに対して指令するために使用され、アップリンクサブフレームは第１の時間−周波数リソースを配置させたダウンリンクサブフレームに対応するアップリンクサブフレームである。
【０２２２】
本発明のこの実施形態で提供される基地局は、前掲の方法実施形態の技術的解決法を実行するように構成されることがある。その実装原理及び技術的効果は同様であり、本明細書では再度詳細を記載していない。
【０２２３】
図１４は、本発明によるユーザ機器１４０の実施形態３の概要構造図である。図１４に示したように、本発明のこの実施形態で提供されるユーザ機器１４０は、第１の受信モジュール１４０１と、第２の受信モジュール１４０２と、を含む。
【０２２４】
第１の受信モジュール１４０１は、基地局によって送信されたレートマッチング情報を受信するように構成される。レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される。
【０２２５】
第２の受信モジュール１４０２は、レートマッチング情報に従って、ダウンリンクサブフレームで伝達される第２の情報を受信するように構成される。ダウンリンクサブフレームは少なくとも２つのサブフレームを含む。
【０２２６】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０２２７】
図１５は、本発明によるユーザ機器の実施形態４の概要構造図である。図１５に示したように、本発明のこの実施形態は図１４に示した実施形態に基づいて実装され、具体的には以下のようである。
【０２２８】
任意選択では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【０２２９】
任意選択では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２３０】
任意選択では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２３１】
任意選択では、Ｎ１がＮ２に等しく、且つＭ１がＭ２に等しい。
【０２３２】
任意選択では、物理リソースブロック対が第１の周波数帯域を占有し、且つサブ物理リソースブロック対が第２の周波数帯域を占有し、第１の周波数帯域と第２の周波数帯域は重複しない。
【０２３３】
任意選択では、第１の受信モジュール１４０１は、
レイヤ１信号伝達又はレイヤ２信号伝達を用いることによって、基地局によって送信されたレートマッチング情報を受信するように具体的に構成される。
【０２３４】
任意選択では、第１の時間−周波数リソースに対応するダウンリンクサブフレームがページングサブフレーム又は同期信号送信サブフレームである。
【０２３５】
任意選択では、ユーザ機器１４０は、
基地局によって送信された、アップリンクスケジュール設定情報、アップリンクパワー制御情報及び周期的アップリンク信号構成情報のうちの少なくとも１つを含む構成メッセージを受信するように構成された第３の受信モジュール１４０３と、
構成メッセージに従って、第１の時間−周波数リソースを配置させたダウンリンクサブフレームに対応するアップリンクサブフレームであるアップリンクサブフレームにおいてアップリンク信号を送信するように構成された送信モジュール１４０４と、
をさらに含む。
【０２３６】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０２３７】
図１６は、本発明による基地局１６０の実施形態５の概要構造図である。図１６に示したように、この実施形態で提供される基地局１６０は、プロセッサ１６０１と、メモリ１６０２と、を含む。基地局１６０は、送信機１６０３と受信機１６０４とをさらに含むことがある。送信機１６０３と受信機１６０４は、プロセッサ１６０１に接続されることがあり、ここで送信機１６０３はデータ又は情報を送信するように構成され、受信機１６０４はこのデータ又は情報を受信するように構成され、且つメモリ１６０２は実行命令を記憶し、基地局１６０が動作するときにプロセッサ１６０１はメモリ１６０２と通信すると共に、プロセッサ１６０１はメモリ１６０２内の実行命令を呼び出して、
基地局によって、第１の情報をユーザ機器ＵＥに送信するために使用されるダウンリンクサブフレームを決定する動作と、
基地局によって、第１の情報をＵＥに対して、ダウンリンクサブフレームを用いることによって送信する動作と、を実行し、ここで
当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームである。
【０２３８】
任意選択では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２３９】
任意選択では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２４０】
任意選択では、Ｎ１がＮ２に等しく、且つＭ１がＭ２に等しい。
【０２４１】
任意選択では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０２４２】
任意選択では、基地局によって、第１の情報をＵＥに対して、ダウンリンクサブフレームを用いることによって送信する動作の前に、
基地局によってＵＥに対して、ダウンリンクサブフレームが第１のサブフレーム、第２のサブフレーム又は第３のサブフレームであることを指摘するために使用されるサブフレームタイプ指示を送信する動作、がさらに含まれる。
【０２４３】
任意選択では、ダウンリンクサブフレームが第３のサブフレームである場合に、基地局によって、第１の情報をＵＥに対して、ダウンリンクサブフレームを用いることによって送信する動作の前に、
基地局によってＵＥに対して、少なくとも１つの物理リソースブロック対が第１の周波数帯域を占有し且つ少なくとも１つのサブ物理リソースブロック対が第２の周波数帯域を占有することを指摘するために使用される周波数帯域指示を送信する動作、がさらに含まれる。
【０２４４】
任意選択では、基地局によって、第１の情報をＵＥに対して、ダウンリンクサブフレームを用いることによって送信する動作は、
基地局によってＵＥに対して、第１の情報を伝達する第１の周波数帯域上の物理リソースブロック対を、第１の巡回プレフィックスＣＰ長さを用いることによって送信する動作、又は
基地局によってＵＥに対して、第１の情報を伝達する第２の周波数帯域上のサブ物理リソースブロック対を、第２のＣＰ長さを用いることによって送信する動作、を含んでおり、ここで
第１のＣＰ長さは第２のＣＰ長さと異なる。
【０２４５】
任意選択では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【０２４６】
任意選択では、ダウンリンクデータチャンネルをスケジュール設定するための制御情報がダウンリンクデータチャンネルのリソース割当て指示を含み、このダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又はこのダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される。
【０２４７】
別法として、アップリンクデータチャンネルをスケジュール設定するための制御情報がアップリンクデータチャンネルのリソース割当て指示を含み、このアップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び当該サブ物理リソースブロック対の量を指摘するために使用される。
【０２４８】
任意選択では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【０２４９】
本発明のこの実施形態で提供される基地局は、前掲の方法実施形態の技術的解決法を実行するように構成されることがある。その実装原理及び技術的効果は同様であり、本明細書では再度詳細を記載していない。
【０２５０】
図１７は、本発明によるユーザ機器１７０の実施形態５の概要構造図である。図１７に示したように、この実施形態で提供されるユーザ機器１７０は、プロセッサ１７０１と、メモリ１７０２と、を含む。ユーザ機器１７０は、送信機１７０３及び受信機１７０４をさらに含むことがある。送信機１７０３と受信機１７０４は、プロセッサ１７０１に接続されることがあり、ここで送信機１７０３はデータ又は情報を送信するように構成され、受信機１７０４はこのデータ又は情報を受信するように構成され、且つメモリ１７０２は実行命令を記憶し、ユーザ機器１７０が動作するときにプロセッサ１７０１はメモリ１７０２と通信すると共に、プロセッサ１７０１はメモリ１７０２内の実行命令を呼び出して、
ユーザ機器ＵＥによって、第１の情報を伝達し且つ基地局によって送信されるダウンリンクサブフレームを決定する動作と、
ＵＥによって第１の情報を、ダウンリンクサブフレームを用いることによって受信する動作と、を実行し、ここで
当該ダウンリンクサブフレームは、少なくとも２つのサブ物理リソースブロック対を含んだ第１のサブフレーム、少なくとも２つの物理リソースブロック対を含んだ第２のサブフレーム、又は少なくとも１つのサブ物理リソースブロック対と少なくとも１つの物理リソースブロック対を含んだ第３のサブフレームのうちの任意の１つである。
【０２５１】
任意選択では、サブ物理リソースブロック対によって占有される時間ドメインの長さは第１のサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２５２】
任意選択では、物理リソースブロック対によって占有される時間ドメインの長さは第２のサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２５３】
任意選択では、Ｎ１がＮ２に等しく、且つＭ１がＭ２に等しい。
【０２５４】
任意選択では、第３のサブフレームの少なくとも１つの物理リソースブロック対が第１の周波数帯域を占有し、且つ第３のサブフレームの少なくとも１つのサブ物理リソースブロック対が第２の周波数帯域を占有し、第１の周波数帯域と第２の周波数帯域は重複しない。
【０２５５】
任意選択では、ＵＥによって、第１の情報を伝達し且つ基地局によって送信されるダウンリンクサブフレームを決定する動作は、
ＵＥによって、基地局によって送信された、ダウンリンクサブフレームが第１のサブフレーム、第２のサブフレーム又は第３のサブフレームであることを指摘するために使用されるサブフレームタイプ指示を受信する動作を含む。
【０２５６】
任意選択では、ダウンリンクサブフレームが第３のサブフレームである場合に、ＵＥによって第１の情報を、ダウンリンクサブフレームを用いることによって受信する動作の前に、
ＵＥによって、基地局によって送信された、少なくとも１つの物理リソースブロック対が第１の周波数帯域を占有し且つ少なくとも１つのサブ物理リソースブロック対が第２の周波数帯域を占有することを指摘するために使用される周波数帯域指示を受信する動作、がさらに含まれる。
【０２５７】
任意選択では、ＵＥによって第１の情報を、ダウンリンクサブフレームを用いることによって受信する動作は、
ＵＥによって、第１の周波数帯域上にあり且つ基地局によって送信された物理リソースブロック対を、第１の巡回プレフィックスＣＰ長さを用いることによって受信する動作であって、当該第１の周波数帯域上の物理リソースブロック対が第１の情報を伝達する、受信する動作、又は
ＵＥによって、第２の周波数帯域上にあり且つ基地局によって送信されたサブ物理リソースブロック対を、第２のＣＰ長さを用いることによって受信する動作であって、当該第２の周波数帯域上のサブ物理リソースブロック対が第１の情報を伝達する、受信する動作、を含んでおり、ここで
第１のＣＰ長さは第２のＣＰ長さと異なる。
【０２５８】
任意選択では、第１の情報は、
ダウンリンクデータチャンネルをスケジュール設定するための制御情報及びダウンリンクデータチャンネルによって伝達されるダウンリンクデータ、又は
アップリンクデータチャンネルをスケジュール設定するための制御情報、を含む。
【０２５９】
任意選択では、ダウンリンクデータチャンネルをスケジュール設定するための制御情報がダウンリンクデータチャンネルのリソース割当て指示を含み、このダウンリンクデータチャンネルのリソース割当て指示は、ダウンリンクサブフレーム内にあり且つＵＥに割り当てられた物理リソースブロック対の箇所及び当該物理リソースブロック対の量を指摘するために使用されるか、又はこのダウンリンクデータチャンネルのリソース割当て指示は、ダウンリンクサブフレーム内にあり且つＵＥに割り当てられたサブ物理リソースブロック対の箇所及び当該サブ物理リソースブロック対の量を指摘するために使用される。
【０２６０】
別法として、アップリンクデータチャンネルをスケジュール設定するための制御情報がアップリンクデータチャンネルのリソース割当て指示を含み、このアップリンクデータチャンネルのリソース割当て指示は、アップリンクサブフレーム内にあり且つＵＥに割り当てられた物理リソースブロック対の箇所及び当該物理リソースブロック対の量を指摘するために使用されるか、又はこのアップリンクデータチャンネルのリソース割当て指示は、アップリンクサブフレーム内にあり且つＵＥに割り当てられたサブ物理リソースブロック対の箇所及び量を指摘するために使用される。
【０２６１】
任意選択では、ダウンリンクデータチャンネルをスケジュール設定するための制御情報がダウンリンクデータチャンネルのトランスポートブロックサイズを指摘するために使用される変調／符号化方式をさらに含む、又は
アップリンクデータチャンネルをスケジュール設定するための制御情報がアップリンクデータチャンネルのトランスポートブロックサイズを指摘するために使用される変調／符号化方式をさらに含む。
【０２６２】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０２６３】
図１８は、本発明による基地局１８０の実施形態６の概要構造図である。この実施形態で提供される基地局１８０は、プロセッサ１８０１と、メモリ１８０２と、を含む。基地局１８０は、送信機１８０３及び受信機１８０４をさらに含むことがある。送信機１８０３と受信機１８０４は、プロセッサ１８０１に接続されることがあり、ここで送信機１８０３はデータ又は情報を送信するように構成され、受信機１８０４はこのデータ又は情報を受信するように構成され、且つメモリ１８０２は実行命令を記憶し、基地局１８０が動作するときにプロセッサ１８０１はメモリ１８０２と通信すると共に、プロセッサ１８０１はメモリ１８０２内の実行命令を呼び出して、
基地局によって、レートマッチング情報を決定すると共に、当該レートマッチング情報をユーザ機器ＵＥに送信する動作であって、レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される、動作と、
基地局によって、レートマッチング情報に従ってダウンリンクサブフレームを決定すると共に、当該ダウンリンクサブフレームをユーザ機器に送信する動作であって、ダウンリンクサブフレームは少なくとも２つのサブフレームを含む、動作と、
を実行する。
【０２６４】
任意選択では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【０２６５】
任意選択では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２６６】
任意選択では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２６７】
任意選択では、Ｎ１がＮ２に等しく、且つＭ１がＭ２に等しい。
【０２６８】
任意選択では、物理リソースブロック対が第１の周波数帯域を占有し、且つサブ物理リソースブロック対が第２の周波数帯域を占有し、第１の周波数帯域と第２の周波数帯域は重複しない。
【０２６９】
任意選択では、基地局によってレートマッチング情報をユーザ機器ＵＥに送信する動作は、
基地局によって、レートマッチング情報をＵＥに対して、レイヤ１信号伝達又はレイヤ２信号伝達を用いることによって送信する動作を含む。
【０２７０】
任意選択では、第１の時間−周波数リソースに対応するダウンリンクサブフレームがページングサブフレーム又は同期信号送信サブフレームである。
【０２７１】
任意選択では、本方法は、
基地局によってＵＥに構成メッセージを送信するステップをさらに含んでおり、ここで当該構成メッセージは、アップリンクスケジュール設定情報、アップリンクパワー制御情報及び周期的アップリンク信号構成情報のうちの少なくとも１つを含み、且つ当該構成メッセージはアップリンクサブフレームにおいてアップリンク信号を当該構成メッセージに従って送信するようにＵＥに対して指令するために使用され、アップリンクサブフレームが第１の時間−周波数リソースを配置させたダウンリンクサブフレームに対応するアップリンクサブフレームである。
【０２７２】
本発明のこの実施形態で提供される基地局は、前掲の方法実施形態の技術的解決法を実行するように構成されることがある。その実装原理及び技術的効果は同様であり、本明細書では再度詳細を記載していない。
【０２７３】
図１９は、本発明によるユーザ機器１９０の実施形態６の概要構造図である。図１９に示したように、この実施形態で提供されるユーザ機器１９０は、プロセッサ１９０１と、メモリ１９０２と、を含む。ユーザ機器１９０は、送信機１９０３及び受信機１９０４をさらに含むことがある。送信機１９０３と受信機１９０４は、プロセッサ１９０１に接続されることがあり、ここで送信機１９０３はデータ又は情報を送信するように構成され、受信機１９０４はこのデータ又は情報を受信するように構成され、且つメモリ１９０２は実行命令を記憶し、ユーザ機器１９０が動作するときにプロセッサ１９０１はメモリ１９０２と通信すると共に、プロセッサ１９０１はメモリ１９０２内の実行命令を呼び出して、
ユーザ機器ＵＥによって、基地局によって送信されたレートマッチング情報を受信する動作であって、レートマッチング情報は、ＵＥが第２の情報をダウンリンクサブフレームを用いることによって受信するときにＵＥがダウンリンクサブフレームにおいて検出することを要さない第１の時間−周波数リソースを指摘するために使用される、動作と、
ＵＥによって、レートマッチング情報に従って、ダウンリンクサブフレームで伝達される第２の情報を受信する動作であって、ダウンリンクサブフレームは少なくとも２つのサブフレームを含む、動作と、
を実行する。
【０２７４】
任意選択では、第１の時間−周波数リソースが、少なくとも１つのサブフレーム内に含まれたすべての時間−周波数リソースを含む、又は
第１の時間−周波数リソースが、物理リソースブロック、サブ物理リソースブロック、物理リソースブロック対及びサブ物理リソースブロック対のうちの少なくとも１つを含む、又は
第１の時間−周波数リソースが、リソースエレメント、リソースエレメントグループ及び制御チャンネルエレメントのうちの少なくとも１つを含む、又は
第１の時間−周波数リソースが、参照信号のリソースパターンを含む。
【０２７５】
任意選択では、サブ物理リソースブロック対によって占有される時間ドメインの長さは１つのサブフレームによって占有される時間ドメインの長さより短く、且つサブ物理リソースブロック対はＮ１個の第１のサブキャリア及びＭ１個の第１の直交周波数分割多重ＯＦＤＭシンボルを含み、ここで周波数ドメイン内における隣接する２つの第１のサブキャリア同士の間隔は設定された値より大きく、且つＮ１とＭ１の両方は正の整数である。
【０２７６】
任意選択では、物理リソースブロック対によって占有される時間ドメインの長さは１つのサブフレームによって占有される時間ドメインの長さに等しく、且つ物理リソースブロック対はＮ２個の第２のサブキャリア及びＭ２個の第２のＯＦＤＭシンボルを含み、ここで周波数ドメイン内における隣接する２つの第２のサブキャリア同士の間隔は設定された値に等しく、且つＮ２とＭ２の両方は正の整数である。
【０２７７】
任意選択では、Ｎ１がＮ２に等しく、且つＭ１がＭ２に等しい。
【０２７８】
任意選択では、物理リソースブロック対が第１の周波数帯域を占有し、且つサブ物理リソースブロック対が第２の周波数帯域を占有し、第１の周波数帯域と第２の周波数帯域は重複しない。
【０２７９】
任意選択では、ユーザ機器ＵＥによって、基地局によって送信されたレートマッチング情報を受信する動作は、
ＵＥによってレイヤ１信号伝達又はレイヤ２信号伝達を用いることによって、基地局によって送信されたレートマッチング情報を受信する動作を含む。
【０２８０】
任意選択では、第１の時間−周波数リソースに対応するダウンリンクサブフレームがページングサブフレーム又は同期信号送信サブフレームである。
【０２８１】
任意選択では、本方法は、
ＵＥによって、基地局によって送信された、アップリンクスケジュール設定情報、アップリンクパワー制御情報及び周期的アップリンク信号構成情報のうちの少なくとも１つを含む構成メッセージを受信するステップと、
ＵＥによって、第１の時間−周波数リソースを配置させたダウンリンクサブフレームに対応するアップリンクサブフレームであるアップリンクサブフレームにおいてアップリンク信号を構成メッセージに従って送信するステップと、
をさらに含む。
【０２８２】
本発明のこの実施形態で提供されるユーザ機器は、前掲の方法実施形態の技術的解決法を実行するように構成されることがある。その実装原理及び技術的効果は同様であり、本明細書では再度詳細を記載していない。
【０２８３】
当業者であれば本方法実施形態のステップのうちの全部又は一部をプログラム命令に関連するハードウェアによって実装し得ることを理解されよう。前掲のプログラムはコンピュータ可読記憶媒体に記憶させることがある。プログラムを動作させると、本方法実施形態のステップが実行される。前掲の記憶媒体には、プログラムコードを記憶することが可能なＲＯＭ、ＲＡＭ、磁気ディスク又は光学ディスクなどの任意の媒体が含まれる。
【０２８４】
最後に、前掲の実施形態が単に本発明の技術的解決法を説明することを目的としたものであり、本発明を限定する目的でないことに留意すべきである。前掲の実施形態を参照しながら本発明について詳細に説明してきたが、当業者であれば前掲の実施形態で記載した技術的解決法に対して依然として修正を行うこと、又はその技術的特徴の一部又は全部に対して等価的な置き換えを行うこと、ができること（ただし、本発明の実施形態の技術的解決法の範囲を逸脱しないように）を理解すべきである。
【図１】
2018125854.tif 000003
【図２】
2018125854.tif 000004
【図３】
2018125854.tif 000005
【図４】
2018125854.tif 000006
【図５】
2018125854.tif 000007
【図６】
2018125854.tif 000008
【図７】
2018125854.tif 000009
【図８】
2018125854.tif 000010
【図９】
2018125854.tif 000011
【図１０】
2018125854.tif 000012
【図１１】
2018125854.tif 000013
【図１２】
2018125854.tif 000014
【図１３】
2018125854.tif 000015
【図１４】
2018125854.tif 000016
【図１５】
2018125854.tif 000017
【図１６】
2018125854.tif 000018
【図１７】
2018125854.tif 000019
【図１８】
2018125854.tif 000020
【図１９】
2018125854.tif 000021
【外国語明細書】
2018125854000001.pdf